(57)【要約】  本発明は、ハンドヘルドプログラミング装置を用いて、ワイヤレスで照明制御システムを設定するシステム及び方法に関する。一具体例では、処理部を有する少なくとも１つの装置が、照明制御システムに設置される。また、ハンドヘルドプログラミング装置から照明制御システムを設定する命令を含む信号を受けるよう作動する通信受信機が、照明制御システムに設置される。更に、信号が、ハンドヘルドプログラミング装置から通信受信機へワイヤレスで送信され、また、命令が、システム内の通信受信機から装置へと伝送される。この命令は、照明制御システムを設定するよう機能する。【選択図】図１
2008533669.tif 000002
【特許請求の範囲】
【請求項１】
処理部を有する少なくとも１つの装置と、ハンドヘルドプログラミング装置から信号を受けるよう作動する通信受信機と、少なくとも１つの装置と通信受信機とを相互接続する通信バスとを有する照明制御システムを、ハンドヘルドプログラミング装置を用いて、ワイヤレスで設定する方法であって、
照明制御システムを設定する命令を含む信号を、ハンドヘルドプログラミング装置から通信受信機へ、ワイヤレスで伝送するステップと、
前記命令を、通信受信機から、少なくとも１つの装置へ伝送するステップと
を有し、
前記命令により、照明制御システムを設定させるようになっている方法。
【請求項２】
少なくとも１つの装置は、安定器及びバス電源の少なくとも一方を備える請求項１に記載の方法。
【請求項３】
信号は、赤外線信号又は高周波（ＲＦ）形式のものである請求項１に記載の方法。
【請求項４】
少なくとも１つの装置は安定器を備え、前記命令は、安定器の上限状態、下限状態、フェード時間、バーンイン状態及び緊急レベル輝度設定を設定する命令である請求項１に記載の方法。
【請求項５】
システムは、照明制御システム中に更に複数の装置を有し、これら複数の装置は、通信バスに接続された少なくとも２つの安定器を備え、かつ少なくとも１つのセンサ装置は、前記少なくとも２つの安定器の一方に接続されている請求項１に記載の方法。
【請求項６】
複数の装置は、それぞれ異なる安定器に接続される複数のセンサ装置を備え、前記命令は、少なくとも１つのセンサ装置に応じて作動するよう、少なくとも２つの安定器をグループ化するように機能するようになっている請求項５に記載の方法。
【請求項７】
前記複数の装置は、それぞれ異なる安定器に接続される複数のセンサ装置を備え、前記命令は、複数のセンサ装置に応じて作動するよう少なくとも１つの安定器をグループ化するよう機能するようになっている請求項５に記載の方法。
【請求項８】
少なくとも１つのセンサ装置は、光センサと人感センサとの一つ以上を備えている請求項５に記載の方法。
【請求項９】
前記命令によって、少なくとも１つの安定器が、光入力を登録している光センサに応じて、それぞれの輝度レベルで作動させるようになっている請求項５に記載の方法。
【請求項１０】
前記命令によって、少なくとも１つの安定器が、占有又は非占有の状態を登録している人感センサに応じて、それぞれの輝度レベルで作動させるようになっている請求項５に記載の方法。
【請求項１１】
システムは、通信バスに接続されコンタクトクロージャ入力端子を含むバス電源を更に有し、前記命令によって、少なくとも安定器の一方が、開状態又は閉状態を登録しているコンタクトクロージャ入力端子に応じて、それぞれの輝度レベルで作動させるようになっている請求項５に記載の方法。
【請求項１２】
少なくとも１つのセンサ装置が、関連する空間の非占有状態を登録した後、命令により、特定の時間の後、少なくとも１つの安定器を、タイムアウトにさせるようになっている請求項５に記載の方法。
【請求項１３】
少なくとも１つの装置に関連するランプが点滅し、ユーザーが、ハンドヘルドプログラミング装置と通信して、少なくとも１つの装置を設定するために選択するステップを更に備える請求項１に記載の方法。
【請求項１４】
命令は、少なくとも１つの装置を工場出荷時の設定にリセットするように機能するものである請求項１に記載の方法。
【請求項１５】
自身に関連する第１の固有の識別子を有する第１の安定器と、通信バスによって相互接続されたバス電源とを備える照明制御システムにおける、安定器を交換する方法であって、
第１の安定器構成設定により、第１の安定器を提供するステップと、
第１の安定器構成設定を表す第１の安定器電子構成情報を、バス電源に保存し、第１の固有の識別子を、バス電源に保存するステップと、
照明制御システムから、第１の安定器を除外するステップと、
自身に関連する第２の固有の識別子を有する第２の安定器を、照明制御システムに設置するステップと、
第１の安定器構成設定で、第２の安定器を設定するために、命令をバス電源に伝送するステップと、
第２の固有の識別子を、第１の固有の識別子に関連させるステップと、
バス電源に保存される第１の安定器電子構成情報により、第２の安定器を設定するステップ
とを有する安定器の交換方法。
【請求項１６】
第１の固有の識別子及び第２の固有の識別子が、シリアルナンバーである請求項１５に記載の方法。
【請求項１７】
第１の安定器及び第２の安定器とバス電源との間の高速の通信が容易になるよう、それぞれの固有の識別子と一致する短い固有の識別子を保存するステップを更に有する請求項１５に記載の方法。
【請求項１８】
自身に関連する第３の固有の識別子を有する第３の安定器を、第３の安定器構成設定で提供するステップと、
第３の安定器構成設定を表す第３の安定器構成情報をバス電源に保存し、第３の固有の識別子を、バス電源に保存するステップと、
照明制御システムから、第３の安定器を除外するステップと、
自身に関連する第４の固有の識別子を有する第４の安定器を、照明制御システム内に設置するステップと、
第４の安定器を第３の安定器構成設定により設定するための命令を、バス電源に伝送するステップと、
第４の固有の識別子を、第３の固有の識別子に関連させるステップと、
バス電源に保存された第３の安定器構成情報により、第４の安定器を設定するステップ
とを更に有する請求項１５に記載の方法。
【請求項１９】
命令を伝送する前記ステップは、ハンドヘルドプログラミング装置により、ワイヤレスで命令を伝送するステップを有する請求項１５に記載の方法。
【請求項２０】
命令が、赤外線又は高周波（ＲＦ）通信を介して伝送される請求項１９に記載の方法。
【請求項２１】
第２の安定器と関連するランプを点滅させることにより、第１の安定器が第２の安定器と適切に交換されたことを表すステップを更に有する請求項１５に記載の方法。
【請求項２２】
構成設定が、上限状態と、下限状態と、フェード時間と、安定器バーンイン状態と、非常時の輝度レベル設定と、光入力を登録している光センサに応じて、安定器を作動させる輝度レベルと、登録している人感センサに応じて、安定器を作動させる輝度レベル占有又は非占有状態と、タイムアウト値と、閉状態又は開状態を登録しているコンタクトクロージャ入力端子に応じて、安定器を作動させる輝度レベルとの少なくとも１つを示している請求項１５に記載の方法。
【請求項２３】
照明制御システムにおいて、複数の安定器を交換する方法であって、
通信バスにより電子的に複数の安定器に接続されるバス電源に、第１の複数の安定器のそれぞれに対する構成設定に関する構成情報を保存するステップと、
第２の複数の安定器と第１の複数の安定器とを交換するステップと、
第２の複数の安定器のそれぞれを、第１の複数の安定器のそれぞれの構成設定で設定するための命令を、バス電源に伝送するステップと、
第２の複数の安定器のそれぞれを、バス電源に保存される構成情報を用いて、第１の複数の安定器のそれぞれ１つの構成設定で設定するステップ
とを有する安定器の交換方法。
【請求項２４】
命令を伝送する前記ステップは、第１の複数の安定器及び第２の複数の安定器のそれぞれのに対して、固有の識別子を伝送するステップを有する請求項２３に記載の方法。
【請求項２５】
通信バスによって共にリンクされる複数の安定器及びバス電源を備える照明制御システムに、設置される装置を表す情報を維持する方法であって、
複数の安定器のそれぞれの構成設定を表す安定器構成情報を、複数の安定器のそれぞれに保存するステップと、
各安定器の構成情報をバス電源に保存するステップ
とを有する情報の維持方法。
【請求項２６】
少なくとも１つのセンサ装置の少なくとも１つの安定器に対する相関を表す情報を保存するステップと、
少なくとも１つの壁制御の少なくとも１つの通信受信機との相関を表する情報を保存するステップと、
室内の安定器それぞれの場所に関連して設定される安定器輝度レベルを表す情報を保存するステップ
とを更に有する請求項２４に記載の方法。
【請求項２７】
通信バスによってリンクされるそれぞれの装置情報を、バス電源と、それぞれの安定器との一方又は双方に保存する請求項２６に記載の方法。
【請求項２８】
それぞれの安定器の情報と、安定器に接続される装置の情報とを、安定器に保存する請求項２７に記載の方法。
【請求項２９】
構成設定が、上限状態と、下限状態と、フェード時間と、安定器バーンイン状態と、非常時の輝度レベル設定と、光入力を登録している光センサに応じて安定器を作動させる輝度レベルと、登録している人感センサに応じて安定器を作動させる輝度レベル占有又は非占有状態と、タイムアウト値と、閉状態又は開状態を登録しているコンタクトクロージャ入力に応じて安定器を作動させる輝度レベルとの少なくとも１つを表す請求項２５に記載の方法。
【請求項３０】
ハンドヘルドプログラミング装置を用いて、照明制御システムをワイヤレスで設定するシステムであって、
照明制御システムに設置され、処理部を有するよう構成される少なくとも１つの装置と、
少なくとも１つの装置に接続し、ハンドヘルドプログラミング装置から、照明制御システムを設定する命令を含む信号を受けるように作動する通信受信機と
を備え、
前記ハンドヘルドプログラミング装置は、ワイヤレスで命令を通信受信機に伝送するように作動し、この通信受信機は、照明制御システムを設定するための命令を、システム上の少なくとも１つの装置に伝送するように作動するようになっているシステム。
【請求項３１】
少なくとも１つの装置が、安定器とバス電源との少なくとも一方を備える請求項３０に記載のシステム。
【請求項３２】
信号は、赤外線信号又は高周波（ＲＦ）信号の形式である請求項３０に記載のシステム。
【請求項３３】
少なくとも１つの装置は、安定器を備え、命令は、安定器の上限状態と、下限状態と、フェード時間と、バーンイン状態と、緊急レベル輝度設定との少なくとも１つを設定する命令である請求項３０に記載のシステム。
【請求項３４】
複数の装置を更に有し、これら複数の装置は、少なくとも２つの安定器と、少なくとも１つのセンサ装置とを備える請求項３０に記載のシステム。
【請求項３５】
命令は、少なくとも１つのセンサ装置に応じて作動するよう少なくとも２つの安定器をグループ化するよう機能するものである請求項３４に記載のシステム。
【請求項３６】
複数の装置は、複数のセンサ装置を更に備え、命令は、複数のセンサ装置に応じて作動するため、少なくとも１つの安定器をグループ化するよう機能するものである請求項３４に記載のシステム。
【請求項３７】
少なくとも１つのセンサ装置は、光センサと人感センサとの１つ以上を備えている請求項３４に記載のシステム。
【請求項３８】
センサ装置は光センサを備え、前記命令によって、少なくとも１つの安定器が、光入力を登録している光センサに応じて、それぞれの輝度レベルで作動するようになっている請求項３４に記載のシステム。
【請求項３９】
センサ装置は光センサを備え、前記命令によって、少なくとも１つの安定器が、占有又は非占有の状態を登録している人感センサに応じて、それぞれの輝度レベルで作動するようになっている請求項３４に記載のシステム。
【請求項４０】
センサ装置は、コンタクトクロージャ入力端子を備え、前記命令によって、少なくとも安定器の一方が、開状態又は閉状態を登録しているコンタクトクロージャ入力端子に応じて、それぞれの輝度レベルで作動するようになっている請求項３４に記載のシステム。
【請求項４１】
センサ装置は、人感センサを備え、人感センサが非占有状態を登録した後、該命令により、特定の時間の後、少なくとも１つの安定器がタイムアウトになるようになっている請求項３４に記載のシステム。
【請求項４２】
少なくとも１つの安定器に関連するランプを更に備え、少なくとも１つの安定器は、ハンドヘルドプログラミング装置のユーザーに、ランプを点滅することにより、情報を伝達するようになっている請求項３４に記載のシステム。
【請求項４３】
命令が、照明制御システムに設置される１つ以上の装置を工場出荷時の設定にリセットするよう機能する請求項１に記載の方法。
【請求項４４】
第１の安定器と、通信バスによって相互接続するバス電源とを備える照明制御システムにおいて、安定器を交換するためのシステムであって、
第１の安定器に割り当てられている第１の固有の識別子と、
第１の安定器に提供される第１の安定器構成設定と、
バス電源に保存され、第１の安定器構成設定及び第１の固有の識別子を表す電子構成情報と、
第２の安定器に割り当てられる第２の固有の識別子とを備え、
前記第２の安定器は、照明制御システムに設置されて、第１の安定器の代替となり、バス電源は、第２の固有の識別子を第１の固有の識別子に関連させることにより、第２の安定器を第１の安定器構成設定で設定するよう作動し、
バス電源は、第１の安定器電子構成情報を用いて、第２の安定器を設定するべく作動するようになっているシステム。
【請求項４５】
第１の固有の識別子及び第２の固有の識別子は、シリアルナンバーである請求項４４に記載のシステム。
【請求項４６】
それぞれの固有の識別子と一致する短い固有の識別子を更に備える請求項４４に記載のシステム。
【請求項４７】
第３の安定器に割り当てられる第３の固有の識別子と、
第３の安定器に提供される第３の安定器構成設定と、
バス電源に保存され、第３の安定器構成設定及び第３の固有の識別子を表す第３の安定器電子構成情報と、
第４の安定器に割り当てられる第４の固有の識別子と、
を備え、
第４の安定器は、照明制御システムに設置されて第３の安定器の代替となり、バス電源は、第４の固有の識別子を、第３の固有の識別子に関連させることにより、伝送された命令に応じて第４の安定器を第３の安定器構成設定で設定するように作動し、
バス電源は、第３の安定器電子構成情報を用いて、第４の安定器を設定するように作動するシステム。
【請求項４８】
ワイヤレスで命令を伝送するように作動するハンドヘルドプログラミング装置を更に備える請求項４４に記載のシステム。
【請求項４９】
ハンドヘルドプログラミング装置は、赤外線又は高周波（ＲＦ）通信を介して伝送するよう作動するようになっている請求項４８に記載のシステム。
【請求項５０】
該照明制御システムに設置され、点滅することにより、第２の安定器が適正に第１の安定器を交換したことを表すように作動する少なくとも１つのランプを更に備える請求項４４に記載のシステム。
【請求項５１】
第１の安定器構成設定が、上限状態と、下限状態と、フェード時間と、安定器バーンイン状態と、非常時の輝度レベル設定と、光入力を登録している光センサに応じて第１の安定器を作動させる輝度レベルと、登録している人感センサに応じて第１の安定器を作動させる輝度レベル占有又は非占有状態と、タイムアウト値と、閉状態又は開状態を登録しているコンタクトクロージャ入力端子に応じて第１の安定器を作動させる輝度レベルとの少なくとも１つを表す請求項４４に記載のシステム。
【請求項５２】
照明制御システム内の複数の安定器を交換するためのシステムであって、
通信バスによって照明制御システムに電子的に接続され、第１の複数の安定器のそれぞれの構成設定に関する構成情報を保存するバス電源と、
第２の複数の安定器に代替される第１の複数の安定器と、
ワイヤレスで命令をバス電源に伝送し、第２の複数の安定器それぞれに対して、第１の複数の安定器それぞれの構成により設定を行うよう作動するハンドヘルドプログラミング装置
とを備え、
バス電源は、構成情報を用いて、第２の複数の安定器それぞれを、第１の複数の安定器それぞれの構成により設定するよう作動するようになっているシステム。
【請求項５３】
照明制御システム内に設置される装置を表す情報を維持するシステムであって、
それぞれが、各自身に保存され各自身の構成設定を表す構成情報を有する、複数の安定器と、
全ての安定器それぞれの構成情報を保存するバス電源と、
該複数の安定器と該バス電源とを相互に接続する通信バス
とを備えるシステム。
【請求項５４】
少なくとも１つの安定器と、少なくとも１つのセンサ装置との相関を表す情報と、
少なくとも１つの通信受信機と、少なくとも１つの壁制御との相関を表す情報と、
室内の安定器それぞれの場所に関連して設定される安定器輝度レベルを表す情報
とを更に有する請求項５３に記載のシステム。
【請求項５５】
情報が、バス電源とそれぞれの安定器との一方又は双方に保存される請求項５４に記載のシステム。
【請求項５６】
構成設定が、上限状態と、下限状態と、フェード時間と、安定器バーンイン状態と、非常時の輝度レベル設定と、光入力を登録している光センサに応じて安定器を作動させる輝度レベルと、登録している人感センサに応じて安定器を作動させる輝度レベル占有又は非占有状態と、タイムアウト値と、閉状態又は開状態を登録しているコンタクトクロージャ入力に応じて安定器を作動させる輝度レベルとの少なくとも１つを表す請求項５３に記載のシステム。
【請求項５７】
照明制御システムであって、
自身に保存され安定器それぞれの構成設定を表す安定器構成情報を有する複数の安定器と、
通信バスにより複数の安定器に接続されるバス電源
とを備え、
各安定器は、それぞれの構成情報をバス電源に伝送するよう作動するシステム。
【請求項５８】
構成設定が、上限状態と、下限状態と、フェード時間と、安定器バーンイン状態と、非常時の輝度レベル設定と、光入力を登録している光センサに応じて安定器を作動させる輝度レベルと、登録している人感センサに応じて安定器を作動させる輝度レベル占有又は非占有状態と、タイムアウト値と、閉状態又は開状態を登録しているコンタクトクロージャ入力端子に応じて安定器を作動させる輝度レベルとの少なくとも１つを表す請求項５７に記載のシステム。
【請求項５９】
バス電源を備える照明制御システム中の、第１の負荷制御装置及び第２の負荷制御装置を、それぞれ、第３の負荷制御装置及び第４の負荷制御装置に交換する方法であって、
第１の負荷制御装置、第２の負荷制御装置、第３の負荷制御装置及び第４の負荷制御装置に、固有の識別子を割り当てるステップと、
第１の負荷制御装置及び第２の負荷制御装置を、それぞれ、第１の構成設定及び第２の構成設定で提供するステップと、
第１の負荷制御装置及び第２の負荷制御装置の固有の識別子及び構成設定を、バス電源に保存するステップと、
第１の負荷制御装置及び第２の負荷制御装置を照明制御システムから除去するステップと、
第３の負荷制御装置及び第４の負荷制御装置を照明制御システムに設置するステップと、
第１の負荷制御装置及び第２の負荷制御装置を、それぞれ、第３の負荷制御装置及び第４の負荷制御装置に、交換する命令を、バス電源に伝送するステップと、
第１の負荷制御装置及び第２の負荷制御装置の固有の識別子を、それぞれ、第３の負荷制御装置及び第４の負荷制御装置の固有の識別子に相関させるステップと、
第１の負荷制御装置の第１の構成設定を、第３の負荷制御装置に伝送するステップと、
第２の負荷制御装置の第２の構成設定を、第４の負荷制御装置に伝送するステップ
とを有する交換方法。
【発明の詳細な説明】
【技術分野】
【０００１】
本出願は、２００５年３月１２日出願の米国特許仮出願番号６０／６６１，０５５、発明の名称「照明制御系用ハンドヘルドプログラマ」の優先権を主張するものであり、この全内容が、本願に参照事項として併合されるものである。
【０００２】
本発明は、広義において、多安定器照明・制御系に関し、特に、複数のプログラム可能な、蛍光電子調光安定器、人感センサ、昼光センサ及び赤外線受信機を備える照明制御系用ハンドヘルドプログラマに関する。
【背景技術】
【０００３】
電気・電子装置の遠隔制御・監視の技術としては、例えば、照明制御系の負荷制御デバイスが知られている。例えば、デジタル・アドレサブル・ライティング・インタフェース（ＤＡＬＩ）通信プロトコルを用いることにより、照明制御系の制御デバイスのデジタルアドレス指定が可能になる。制御デバイスは、ＤＡＬＩプロトコルを用いて、負荷制御デバイスと通信を行うことができ、これにより、たとえば、通信ネットワーク上にコマンドを送って、照明負荷の強度を調整する。
【０００４】
ＤＡＬＩプロトコルを用いて、例えば、各制御デバイスは、それ自身の個々のデジタルアドレスを有することができ、これにより、制御デバイスとの遠隔通信が可能になる。従って、遠隔コンソールが発するコマンドにより、負荷のオン・オフのスイッチングを行うことが可能である。
【０００５】
中央制御装置は、負荷制御デバイスの制御に応じて、コマンドを処理し、そのコマンドを発する。負荷制御デバイスは、例えば白熱電球や蛍光燈等の照明負荷や、電動ウィンドウ処理装置等の電動負荷に対する制御に使用することができる。
【０００６】
近年、処理能力が多様にわたり、かつ制御は集中して行われる大規模の照明システムが、照明上の要求に応じて開発されてきた。例えば、ビルの照明システムの制御は、フロアごとに行われたり、ビル内の各会社等の占有空間ごとに行われたりする。ビルのフロアを例にとると、１つのフロアでは、照明の要求も各部屋ごとに異なっているが、これは、多くの要因、例えば、収容人数、使用時間、部屋での作業内容、セキュリティなどによるものである。
【０００７】
照明の目的のために、多数の部屋を１つにリンクする場合には、各部屋の照明制御は、ネットワークを介して、集中的に行うことが可能である。例えば、各種照明モジュールへの電力については、ローカルに供給可能であり、他方、照明システムの制御の機能・機構は、コントローラと各種照明システム部品との間でメッセージを送受信する制御ネットワークを介して構築される。
【０００８】
例えば、人感センサを有する部屋は、ネットワーク上に人を感じたというメッセージを届けることにより、部屋の占有状態をコントローラに知らせることが可能である。部屋に人が居る時は、照明コントローラが、この部屋の照明のスイッチをオンにするか、あるいは、ある一定の調光レベルに設定する。
【０００９】
照明制御ネットワーク内で、メッセージ交換がなされる際、プロトコルを用いることにより、各種ネットワーク部品同士の通信が可能になる。ＤＡＬＩプロトコルでは、照明製造業者及び設計者によって採用される通信用の取り決めを定めることにより、非常に有効な方法で、照明ネットワーク上における簡易なメッセージの通信を行うこと可能となる。
【００１０】
ＤＡＬＩプロトコルは、各種ネットワーク部品内で伝送される１９ビットメッセージを要求することにより、ネットワーク化された照明制御を行うことができる。この１９ビットメッセージは、各種ビット記憶場所とメッセージにより実行される動作を示すための制御ビットの他に、アドレスビット及びコマンドビットから構成されている。例えば、１つのタイプのメッセージは、６ビットアドレス及び８-ビットコマンドを提供することにより、コマンドをアドレス指定されたネットワーク部品に届ける。
【００１１】
このプロトコル技術を用いることにより、６４個の異なるデバイスに照明ネットワーク上でのアドレス指定を行い、ネットワーク制御を提供することができる。パワーオンレベル、フェード時間・速度、グループメンバーシップ等を設定するコマンドを含む多数のコマンドを、アドレス可能なデバイスに指令することができる。
【００１２】
従来の照明制御システム、例えばＤＡＬＩプロトコルに適合するシステムでは、システム内の安定器を制御するためのハードウエアコントローラを有している。コントローラは、通常、データが転送される単一のデジタルシリアルインタフェースを介して、システム内の安定器に接続する。この単一のインタフェースの不利益としては、コントローラと安定器のと間で適度に流れるべきメッセージトラフィックの量が、インタフェースのバンド幅による制約により制限されることが挙げられる。これにより、コマンド時間にも遅れが生じてしまう。
【００１３】
代表的なＤＡＬＩ照明制御システムには、ＤＡＬＩ通信バスに電力を供給する「バス電源装置」が必要である。このＤＡＬＩ通信バスは、一方のワイヤが直流電圧、例えば１８Ｖの直流を供給することができ、また、他方のワイヤが共通である、二線式リンクから成る。このバス電源装置は、ＤＡＬＩバス上の装置が通信可能になるために必要な直流電圧を発生する。
【００１４】
ＤＡＬＩ通信バス上にビットを伝送するため、この装置は、短期間、リンクから「ショート」する。バス電源装置が故障すれば、ＤＡＬＩバスに接続される装置では、通信が不可能になる。
【００１５】
先行技術の電子調光安定器は、交流主電源から整流直流電圧を発生する整流器と、整流直流電圧から昇圧ＤＣバス電圧を発生させる昇圧コンバーターとを有するフロントエンドを備えていることがある。ＤＣバス電圧から高周波交流電圧を発生させるインバータと、照明負荷に電力を供給するため照明負荷に高周波数の交流電圧を接続する出力フィルターとを有するバックエンドに、ＤＣバス電圧を供給する。
【００１６】
先行技術の安定器のフロントエンド及びバックエンドは、２００４年１月６日発効の米国特許第６，６７４，２４８号、発明の名称：「電子安定器」において更に詳細に記載され、この米国特許の開示内容の全体は、参照事項として本願に併合される。
【００１７】
安定器は、例えば多数の入力を受信するマイクロプロセッサを備える処理部を備えていることが多い。入力、例えばＤＣバス電圧の大きさに関係する入力や、出力ランプ電流や出力ランプ電圧に関係する入力が、安定器から受信される形式もある。更に、処理部への入力が、外部の光電管センサ又は外部の人感センサ等、外部のセンサから受信される形式もある。更には、処理部は、ＤＡＬＩ通信プロトコルを介して情報を送受信する通信ポートを有している。処理部には、整流回路から整流直流電圧を受ける電源装置より電力が供給される。
【００１８】
マイクロプロセッサを備える安定器、特に複数の外部センサからの入力を受信可能である安定器の例が、２００４年４月１４日出願の米国特許出願第１０／８２４，２４８号、発明の名称：「プロセッサを有する多入力電子安定器」において更に詳細に記載されている。この米国特許出願の開示内容全体は、参照事項として本願に併合される。
【００１９】
電気装置を、ワイヤレスで制御するタイプのシステムを挙げることもできる。例えば、先行技術のシステムでは、遠隔位置から、高周波（ＲＦ）リンクや赤外線（ＩＲ）リンク等の無線通信リンクを介して、電球等の電気装置の状態を制御するタイプのシステムを挙げることもできる。この電気装置に関する状態の情報（例えばオン・オフや輝度レベル）は、通常、専用の照明制御デバイスと、少なくとも１つの主制御ユニットとの間で伝送される。
【００２０】
本特許出願人によるプログラムで設定可能な装置と無線制御デバイスとを含む先行技術のシステムの一例として、「RADIO RA」無線照明制御システムが商品化されている。この「RADIO RA」システムについては、１９９９年５月１８日発効の米国特許第５，９０５，４４２号、発明の名称：「遠隔位置から電気装置の状態を制御し決定する方法及び装置」において更に詳細に記載されており、この特許出願の開示内容全体は、参照事項として本願に併合される。
【発明の開示】
【発明が解決しようとする課題】
【００２１】
遠隔制御・モニタ装置、例えばＤＡＬＩプロトコルによって、便宜が提供されるが、相互に物理的に遠隔に配置される制御デバイス群や、個々にデジタルアドレスを有する異種の装置を有する制御デバイス群では、これらを、各個に選択されグループに構成する必要がある。このことは、装置や領域の表を参照することによって、通常行われている。しかし、何千もの制御デバイスに関する莫大なリストに直面すれば、個々の装置を、各種グループに画定するという作業は困難である。
【００２２】
従って、先行技術の照明制御システムの構成は、多大な時間を必要とする。例えば、個々の負荷制御デバイス及び対応する照明負荷は、表中にある名前又は数字によって識別され、これを、負荷制御デバイスをグループに加えるための場所指定は、ユーザーによって行う必要がある。
【００２３】
更に、複数の照明器具を、個々に、それぞれの領域に割り当てる場合もある。このときユーザーは、上記のような各種パターンに対して、光のグループを決めるため、それぞれが複数の照明器具を表す多数の領域から成る膨大な表をナビゲートしなければならない。
【００２４】
この領域を表にしたものは、直観的に処理できるものではなく、何百・何千もの領域に基づく各種照明パターンの多くは、数個、あるいはもっと多くの照明器具を含んでおり、これらの画定に関する作業には、問題がある。
【００２５】
例えば故障のため、単一の安定器を交換しなければならない場合、先行技術の照明制御システムでは、単一の安定器を取り替える方法が存在する。それには、先ず、故障した安定器を取り外し、新しい安定器を同じ位置に設置する。それには、次に、どの安定器が割り当てられていないかを識別するための問合せが、コントローラから通信リンク上に送信される。割り当てのない安定器が新たに応答した場合、コントローラは、プログラミング設定及び故障した安定器の構成情報を、新しい安定器に伝送する。このプログラミング設定及び構成情報は、新たに交換した安定器に保存される。
【００２６】
このプログラミング設定及び構成情報としては、例えば、上限状態、下限状態、フェード時間や緊急強度レベルに関連する各設定が挙げられる。
【００２７】
安定器を自動的に交換する方法は、単一の安定器を取り替えるためには有用であるが、複数の安定器の、それぞれに、設定及び構成情報が要求されるため、複数の安定器を取り替えるためには有効な方法ではない。この割り当てのない多数の安定器は、相互に区別できず、そのため、複数の安定器のそれぞれの設定及び構成情報を自動的に提供する方法は、先行技術中には存在しない。
【００２８】
更に、先行技術の装置において、プログラミングは、主コンソールまたはキーパッドから行われる。ワイヤレス式の手持ち式の（ハンドヘルド）装置では、高機能な照明制御用安定器をプログラミングすることができることが望ましい。
【課題を解決するための手段】
【００２９】
例えば複数のプログラム可能な、蛍光電子調光安定器、人感センサ、昼光センサや、赤外線受信機を備える照明制御システム用ハンドヘルドプログラマが必要である。
【００３０】
本発明は、ワイヤレスで照明制御システムを設定するハンドヘルドプログラミング装置を用いるシステム、及びその使用方法に関する。一具体例では、処理部を有する構成の少なくとも１つの装置が、照明制御システムに設置される。また、ハンドヘルドプログラミング装置から信号を受信する動作が可能である通信受信機が、照明制御システムに設置され、この受信信号は、照明制御システムを設定するための命令を含んでいる。
【００３１】
更に、この信号は、ハンドヘルドプログラミング装置から通信受信機へワイヤレスで送信され、命令は、通信受信機からシステム上の装置に伝送される。この命令は、照明制御システムを設定する機能を有している。
【００３２】
別の具体例として、本発明は、照明制御システムにおいて安定器を取り替えるためのシステム及び方法にも関する。照明制御システムは、第１の安定器とバス電源とを備えている。第１の固有の識別子（例えば一貫番号）を、第１の安定器に割り当てることが好ましい。第１の安定器の設定を表す情報が、第１の安定器の第１の固有の識別子と共に、バス電源上に保存されるように、第１の安定器が設定される
【００３３】
この具体例について更に続けると、第１の安定器の取り替え品である第２の安定器に、第２の固有の識別子が割り当てられる。第１の安定器は、照明制御システムから取り出され、第２の安定器が設置される。その後、第２の固有の識別子を、第１の固有の識別子に関連させることにより、第１の安定器の構成設定により、第２の安定器を設定する命令を、バス電源に伝送する。バス電源は、第２の安定器を設定するための構成情報を用いる。
【００３４】
ここで設定情報とは、次の少なくとも１つを含んでいる。：上限状態、下限状態、フェード時間、安定器バーンイン、緊急レベル強度設定、光入力を登録する光センサに応じて作動する強度レベル、占有／非占有状態を登録する人感センサに応じて作動する強度レベル、タイムアウト値、開放／閉鎖状態を登録するコンタクトクロージャに応じて作動する強度レベル。
【００３５】
更に別の具体例として、本発明は、照明制御システムに設置される装置を表す情報を維持するためのシステム及び方法に関係する。好ましくは、照明制御システムに設置される複数の安定器のそれぞれは、それぞれに保存されている安定器設定情報を有している。それぞれの安定器設定情報は、それぞれの安定器の設定を表している。更に、バス電源が、照明制御システムに設置され、全ての安定器のそれぞれの設定情報を保存する。
【発明を実施するための最良の形態】
【００３６】
本発明の他の特徴及び利点は、添付の図面を参照して以下に行う本発明の詳細な説明により、明らかになると思う。
【００３７】
本発明を例示する目的で、本発明の現時点で好適と思われる形態を、図面に示してあるが、本発明は、ここに示す構成及び手段に制限されないことを理解されるべきである。本発明の特徴及び利点は、添付の図面を参照してなされる本発明の以下の説明から、明らかになると思う。
【００３８】
図１は、安定器、赤外線受信機、光センサ、人感センサ、壁制御、及び安定器リンク上に通信するバス電源装置を含む複数の装置を例示する図である。
【００３９】
図２は、ウィンドウを有する部屋内で、横及び縦に配置される照明器具及び安定器１０２の例示グリッドを例示する図である。
【００４０】
図３は、本発明に従ってハンドヘルドプログラミング装置を用いた１つ以上の安定器を設定する方法を例示するフローチャートを示す。
【００４１】
図４Ａ〜図４Ｌは、１つ以上の安定器に対して、上限状態を設定するハンドヘルドプログラミング装置に与えられた例を示す図である。
【００４２】
図５Ａ〜図５Ｌは、１つ以上の安定器に対して、フェード時間を設定するハンドヘルドプログラミング装置に与えられた例を示す図である。
【００４３】
図６Ａ〜図６Ｋは、１つ以上の安定器に対して、バーンインプロセス状態を設定するハンドヘルドプログラミング装置に与えられた例を示す図である。
【００４４】
図７Ａ〜図７Ｌは、１つ以上の安定器に対して、１つ以上の安定器の緊急状態中に作動するレベルを設定するハンドヘルドプログラミング装置に与えられた例を示す図である。
【００４５】
図８は、ハンドヘルドプログラミング装置を用いて、昼光センサを設定する方法のフローチャートを示す
【００４６】
図９Ａ〜図９Ｌは、１つ以上の安定器に対して、占有状態を感知する１つ以上の人感センサに従って作動する、１つ以上の安定器を設定するハンドヘルドプログラミング装置に与えられた例を示す図である。
【００４７】
図１０Ａ〜図１０Ｋは、１つ以上の安定器に対して、１つ以上の非占有状態を感知する１つ以上の人感センサ装置に従って作動する１つ以上の安定器を設定するハンドヘルドプログラミング装置に与えられた例を示す図である。
【００４８】
図１１Ａ〜図１１Ｌは、１つ以上の安定器に対して、タイムアウトとなる１つ以上の安定器を設定するハンドヘルドプログラミング装置に与えられた例を示す図である。
【００４９】
図１２Ａ〜図１２Ｊは、半自動式又は自動式の方法において作動する安定器を設定する例示表示画面を示す。
【００５０】
図１３は、ハンドヘルドプログラミング装置を用いて、人感センサ装置を設定する方法を示すフローチャートである。
【００５１】
図１４は、特定の光センサで、一群の安定器を設定する方法を示すフローチャートである。
【００５２】
図１５は、ハンドヘルドプログラミング装置を用いて、人感センサグループを画定する方法を例示するフローチャートである。
【００５３】
図１６は、特定の赤外線受信機装置で、一群の安定器を設定する方法を示すフローチャートである。
【００５４】
図１７は、ハンドヘルドプログラミング装置を用いて、１つ又は複数の安定器を交換する方法を例示するフローチャートである。
【００５５】
図１８Ａ〜図１８Ｉは、閉状態にある特定のコンタクトクロージャ入力に対応する１つ以上の安定器に対して、閉じたレベル設定を決定するハンドヘルドプログラミング装置に与えられた例を示す図である。
【００５６】
図１９Ａ〜図１９Ｉは、開状態にある特定のコンタクトクロージャ入力に対応する１つ以上の安定器に対して、開いたレベル設定を決定するハンドヘルドプログラミング装置に与えられた例を示す図である。
【００５７】
図２０Ａ〜図２０Ｉは、単一のＩＲ受信機を介して命令を受ける安定器のグループを決定するハンドヘルドプログラミング装置に与えられた例を示す図である。
【００５８】
図２１Ａ〜図２１Ｉは、光センサ装置に関連して作動する安定器のグループを決定するハンドヘルドプログラミング装置に与えられた例を示す図である。
【００５９】
図２２Ａ〜図２２Ｉは、人感センサに関連して作動する安定器のグループを決定するハンドヘルドプログラミング装置に与えられた例を示す図である。
【００６０】
図２３Ａ〜図２３Ｌは、本発明に従って安定器を交換するハンドヘルドプログラミング装置に与えられた例を示す図である。
【００６１】
図２４Ａ〜図２４Ｋは、本発明に従い新しい安定器システムのアドレス指定を行いシステムをリセットするハンドヘルドプログラミング装置に与えられた例を示す図である。
【００６２】
図２５Ａ〜図２５Ｆは、工場出荷時のデフォルト設定に装置をリセットするハンドヘルドプログラミング装置に与えられた例を示す図である。
【００６３】
図２６Ａ〜図２６Ｊは、縦−横のグリッドで構成される安定器の運転設定を決定するハンドヘルドプログラミング装置に与えられた例を示す図である。
【００６４】
図２７Ａ〜図２７Ｊは、縦−横のグリッドで画定される横の行に従って、シーンを決定し作動させる、壁制御を設定するための例を示す図である。
【００６５】
図２８は、バス電源装置上に保存されたデータベース例に従って安定器構成及び設定情報を保存するデータ表例データベース記録レイアウトを例示するものである。
【００６６】
前述の摘要は、好適な具体例の次の詳細な説明と同じく、添付の図面と共に読み取ることにより、より良く理解されると思う。本発明を例示する目的で、好適な具体例を図面に示すが、各図面において、類似の符号は類似の要素を表し、本発明は、開示される具体的な方法及び手段に制限されないことを理解されるべきである。
【００６７】
また、本発明につき、特に照明制御に関して説明するが、本発明は、他の種類の装置の状態を制御する通信信号に適用することもできる。例えば、ファンモータや電動ウィンドウ装置等である。
【００６８】
本発明は、一態様としては、照明制御システム用のハンドヘルドプログラミング装置に関し、この装置は、例えば、複数のプログラム可能な、蛍光電子調光安定器、人感センサ、昼光センサや赤外線受信機を有している。
【００６９】
好適な具体例では、遠隔マニュアル操作で制御可能な制御デバイスが、以下の各種作業を実行するために用いられる。例えば、照明輝度レベルの調整、センサ（例えば人感センサや昼光センサ）の設定、センサグループの決定、壁制御の設定、実行状態診断、安定器の設定又は交換などである。
【００７０】
更に、本発明は、セキュリティ機能を有することで、正しい権限を与えられた人員のみが、上記の作業の実行へのアクセスが確実に許される。例えば、ハンドヘルドプログラミング装置を保護するパスワードにより、権限を与えられたユーザー以外の全てを排除して、本発明によると、未許可の人が、照明制御システムにおいて安定器を設定する事態が防止される。
【００７１】
次に、図１においては、本発明の好適な具体例に従って設定された部品及びデバイスのハードウエア構成例を、照明制御システム１００として示す。好適な具体例では、コマンド/制御バス電源装置１１４（ここでは「バス電源」と呼ぶ）は、例えばＤＡＬＩ通信リンク等の通信リンク１１６に配線され、通信リンクの２本のワイヤの間に、直流電圧、例えば１８ＶのＤＣが提供される。
【００７２】
更に、バス電源１１４は、安定器プログラミング情報を保存し、また、リンク１１６を介して、高機能な安定器１０２と通信するよう作動する。バス電源１１４は、システム安定器とこれに対応する設定及び構成に関するデータベース１１８を保存するメモリを含む、マイクロコントローラー又は他のタイプのプロセッサを有しているのが好ましい。
【００７３】
データベース１１８は、個々の安定器が、安定器リンク１１６上にそれぞれの情報を伝送することにより、又はハンドヘルドプログラミング装置１０１によって伝送される信号を受信することにより、自動的に形成される１つ以上のデータ表を備えていることが好ましい。
【００７４】
バス電源１１４は、それぞれが、バス電源への閉状態又は開状態の入力を提供する複数のコンタクトクロージャ入力１１２を受けるように作動する。バス電源１１４は、各安定器１０２に取り付けられる照明負荷を、コンタクトクロージャ入力１１２の状態の変化に応じて制御するよう作動する。
【００７５】
更に図１に関して続けると、この装置は、例えば、１つのバス電源ユニット１１４と、それぞれの壁制御１１０に電気的に接続される安定器１０２と、ハンドヘルドプログラミング装置１０１から送信される赤外線信号を受けるように作動し、また信号を対応する安定器１０２に送信するように作動する赤外線受信機１０４とを備えている。
【００７６】
ハンドヘルドプログラミング装置１０１は、グラフィカルユーザインタフェースを有していることが好ましく、このグラフィカルユーザインタフェースを用いれば、ユーザーが各種メニューから希望項目を選択し、コマンドを、赤外線受信機１０４を介してシステム１００に伝送し、各種運転条件を決定することが可能になる。
【００７７】
赤外線受信機１０４は、発光ダイオード（ＬＥＤ）を有しているのが好ましく、このＬＥＤは、赤外線信号を受けた時に発光し、ハンドヘルドプログラミング装置１０１のユーザーに、視覚的なフィードバックを提供する。従って、ハンドヘルドプログラミング装置１０１から送信される信号は、ここに含まれる教示内容に従い、以下の各種作業を可能にする命令を表す。：照明輝度レベルの調整；センサ（例えば人感センサ又は昼光センサ）の設定；安定器やセンサグループの決定；壁制御の設定；実行診断；安定器の設定及び交換；バス電源の交換。
【００７８】
このハンドヘルドプログラミング装置１０１は、例えば赤外線、高周波（ＲＦ）、その他の既知のワイヤレス通信技術によるワイヤレスインタフェースを介して、コマンドを伝送するよう作動するあらゆるタイプのハンドヘルド装置であってもよい。ハンドヘルドプログラミング装置１０１は、パーソナル携帯情報機器（ＰＤＡ）であってよく、パームＯＳ、ＰＯＣＫＥＴ  ＰＣ  ＯＳ、ＰＤＡその他の適切なオペレーティングシステムで設定される。これらに加えて、当業者は、ここの教示内容に従って、データや情報を伝送するあらゆる方法を、想倒しうるものと思われる。
【００７９】
各安定器１０２は、例えば製造中又は製造後に安定器に割り当てられるシリアルナンバー等の固有の識別子で設定されることが好ましい。換言すれば、安定器１０２は、設定済みの「箱から出したばかりの新品」、即ち、シリアルナンバーその他の識別子で発送された時のままの状態の製品である。識別子は、乱数であってもよく、あるいは、例えば安定器が製造された場所、安定器が製造された日付、機能その他の、コード化された情報を含んでいてもよい。
【００８０】
安定器１０２を、安定器リンク１１６上に一旦設置した後、システムアドレス等の第２の固有の識別子を安定器１０２に割り当て、その後、第２の識別子を、第１の識別子（例えばシリアルナンバー）と関連させてもよい。好適な具体例では、第２の識別子値は、バス電源１１４のデータベース中のインデックス値として用いられる。バス電源は、第２の識別子を用いて、例えば安定器１０２に命令を送ることができる。
【００８１】
好ましくは、第２のインデックス値は、第１の識別子の長さよりも短く、そのため、バス電源１１４は、より短い第２の識別子を代わりに用いることにより、より高速で、それぞれの安定器１０２に命令を発することが可能になる。本発明の具体例では、第１の識別子は、１４文字の長さ、第２の識別子は、２文字の長さであるのがよい。
【００８２】
本発明は、安定器１０２を制御することによって、ユーザーに特定の照明シーンの決定が可能になるよう作動し、部屋内又はビル内の各安定器のそれぞれの場所に従い、各種輝度レベルで作動するようになる。
【００８３】
図２は、取付具及び安定器１０２がウィンドウを有している部屋に配置した光の例グリッド２００を示す。明るい陽光が射す時間には、光は、窓を通過して、グリッド２００に隣接する領域に入り、照明環境に影響を及ぼし得る。このハンドヘルドプログラミング装置１０１を用いることにより、ユーザーは、照明器具が窓に近接しているため区域２０２Ｅ及び２０２Ｆに配置されている安定器１０２の輝度設定を下げることができる。
【００８４】
例えば、区域２０２Ｅ及び２０２Ｆでの照明器具を制御する安定器１０２は、これらが２０％の輝度で作動するよう決定することができる。区域２０２Ｃ及び２０２Ｄ内の照明器具を制御する安定器１０２は、これらが５０％の輝度で作動する作動するよう決定することができる。区域２０２Ａ及び２０２Ｂ内の照明器具を制御する安定器１０２は、これらが８０％の輝度で作動する作動するよう決定することができる。
【００８５】
好ましくは、ユーザーは、ハンドヘルドプログラミング装置１０１を用いることにより、例えば縦横の行及び列で示されるそれぞれの輝度レベルで、安定器のグループを決定する。
【００８６】
好ましくは、バス電源１１４は、安定器１０２のグループ分け情報、及びそれぞれの運転設定を、データベース１１８に保存する。例えば、データベース１１８は、安定器の行の値、ゲインの値、安定器１０２のショートアドレス（第２の固有の識別子）を表す値を保存してもよい。バス電源１１４は、好ましくは、データベース１１８内の値を参照し、ハンドヘルドプログラミング装置１０１を用いているユーザーにより決定される命令に従って、適切に器具を作動するため、グリッド２００内の安定器１０２との間でコマンドを通信する。
【００８７】
ここに記載されるプロセスの多くは、ハンドヘルドプログラミング装置を用いて実行される。このプロセスとは、ハンドヘルドプログラミング装置を用いて安定器を設定するプロセス、安定器を交換するプロセス、昼光センサや人感センサ等のセンサ装置のセットアッププロセス、各種装置のグループ分けの決定プロセスが含まれる。
【００８８】
フローチャートにおいて示されている例の多くは、ハンドヘルドプログラミング装置が、赤外線伝送を介して命令を送信する具体例を参照するものである。フローチャート中の説明では、ハンドヘルドプログラミング装置１０１を用いる具体例を参照して説明がなされているが、ワイヤレスでコマンドを伝送する他の技術を、赤外線信号の代わりに用いることができる事が、当業者に認識される。例えば、ハンドヘルドプログラミング装置１０１は、高周波（ＲＦ）の送信を介して命令を伝送してもよい。
【００８９】
図３は、本発明に従い、ハンドヘルドプログラミング装置１０１を用いて、一つ以上の安定器１０２を設定する方法を例示するフローチャートを示す。図３に示される工程は、安定器が物理的に設置されて、安定器リンク１１６に接続された（即ちワイヤ接続された）後での安定器１０２を設定する工程に適用することができる。
【００９０】
ユーザーは、ハンドヘルドプログラミング装置１０１を用い、ハンドヘルドプログラミング装置１０１を介して命令を伝送し、安定器を設定する。ステップＳ１０２では、ユーザーは、ハンドヘルドプログラミング装置１０１を、安定器１０２の一つに取り付けられた赤外線受信機１０４に向け、ハンドヘルドプログラミング装置１０１上に提供されたユーザーインタフェース中のメニュー選択肢の中から適切に選択し、安定器を設定する。
【００９１】
ステップＳ１０４では、安定器リンク１１６上の安定器１０２の一方に接続されるランプが点滅を開始する。他の具体例では、ユーザーがステップＳ１０２等において、安定器設定のための選択を行う際、安定器１０２に関連するランプ器具の発光ダイオード（ＬＥＤ）が点滅を開始する。ステップＳ１１２では、ユーザーは、ハンドヘルドプログラミング装置１０１上のユーザインタフェースを介して提供したオプションを選択して、安定器リンク１１６上に設置される全ての安定器１０２の設定を行うことができる。あるいは、ユーザーは、ステップＳ１０４で点滅を観察して、正しい安定器が選択されたか否かを決定する（ステップＳ１０６）ことにより、設定すべき一つの安定器を選択することができる。
【００９２】
ユーザーが、ステップＳ１０６で所望の安定器が点滅していないと認識すれば、ユーザーは、ハンドヘルドプログラミング制御デバイスを介して、別の安定器を選択する（ステップＳ１０８）。例えば、ユーザーは、ハンドヘルドプログラミング装置１０１上のグラフィカルユーザインタフェースを用いて、安定器リンク１１６上の次の安定器、又は安定器リンク上の前の安定器に対しての選択を行う。
【００９３】
ユーザーは、これにより、リンク上に構築された全ての安定器のリストを用いて、設定する所望の安定器を選択することができる。ユーザーが、所望の安定器が設定のために選択されていると認識すれば、ユーザーは、ハンドヘルドプログラミング装置１０１上で選択を行い、それぞれの装置を設定する。
【００９４】
ユーザーが設定のため、全ての安定器を選択し（ステップＳ１１２で）、又は単一の安定器を選択した（ステップＳ１０６で）後、全ての安定器に対し、ステップＳ１１０で、それぞれ最も低い設定（「ローエンド：下限状態」）で作動するよう命令が出される。従って、ユーザーは、リンク１１６上の選択された安定器又は全ての安定器を設定するために、選択を行う。
【００９５】
ステップＳ１１４では、ユーザーは、安定器１０２の各種態様を設定するため、ハンドヘルドプログラミング装置１０１上で選択を行う。ステップＳ１１６では、ユーザーは、高いレベル（「ハイエンド：上限状態」）を設定する選択を行う。安定器１０２は、ランプを最高レベルに設定し、ユーザーは、実質的に即時に、ハンドヘルドプログラミング装置１０１上で選択肢から選択することにより、高いレベルを調整する（ステップＳ１１８）。
【００９６】
例えば、ユーザーは、例えば上向き矢印や下向き矢印のラベルのボタンのようなグラフィック制御を選択することにより、最も好適な最大上限を増減させる。あるいは、ユーザーは、１００、９５、９０、８５・・・等の数値のボタンを選択し、ハンドヘルドプログラミング装置１０１に命令を行い、安定器１０２の好適な最大の上限を決定する。
【００９７】
ステップＳ１２０では、ユーザーは、ハンドヘルドプログラミング装置１０１を用いて、安定器１０２の低いレベル（「下限状態」）を決定する。ステップＳ１２２では、その後、安定器１０２が自動的その最も低いレベルになることが好ましく、ユーザーは、ハンドヘルドプログラミング装置１０１上に提供されたインタフェースにおいて、オプションを選択し、低いレベルを好適な値に合わせる。
【００９８】
上限状態の設定に関して上記したように、ユーザーは、例えば上向き矢印や下向き矢印のラベルのボタンのようなグラフィックアイコンを選択することにより、安定器１０２の好適な最小状態の増減が可能である。あるいは、それぞれの値（例えば５、１０、１５その他）を選択することにより、実質的に即時に、具体的な下限状態値を決定する。
【００９９】
ステップＳ１１４で安定器を設定するユーザーに利用できる別のオプションとしては、フェード時間を安定器１０２に指定することがある。このフェード時間とは、安定器がその動作レベルからその後のレベルまで弱まるまでの時間を表す（ステップＳ１２４）。例えばユーザーは、安定器１０２がランプをフェードアウトさせるため、例えば１秒間、２秒間、５秒間又は１０秒間、フェード時間を増加又は減少させる選択を行う（ステップＳ１２６）。
【０１００】
ユーザーが利用可能な別のオプションは、ランプのシーズニング又は「バーンイン」のためのプロセスを提供し、ランプを最初に設置後かなり早い時期に、ランプが暗くなるランプ寿命短縮を防止する（ステップＳ１２８）。ユーザーが安定器のバーンインのオプションを選択した後、安定器は、最小時間（例えば１００時間）だけ、ランプに全出力を供給する。
【０１０１】
ステップＳ１３０では、ユーザーは、バーンインプロセスの状態を変える、ハンドヘルドプログラミング装置１０１のオプション、即ち、バーンインプロセスを始動し、停止し、休止し、あるいは再開するためのオプションを提供する。
【０１０２】
安定器の設定に利用可能な別のオプションは、緊急状態の間、安定器１０２出力レベルを決定することである（ステップＳ１３２）。例えば、停電その他の緊急状態の場合には、ステップＳ１３２で決定される緊急レベルで作動するよう、安定器１０２に命令をすることができる。好ましくは、ユーザーは、ステップＳ１３４で、例えば１００％、７５％、５０％、２５％等、特定の緊急レベルを決定するオプションが与えられ、安定器への影響を防止する。
【０１０３】
上限状態及び下限状態の設定に関する上記のように、ユーザーは、実質的に即時に、安定器１０２の緊急レベルを決定し、装置プロセス中の光レベルの輝度を観察することができる。
【０１０４】
ユーザーが、オプション（Ｓ１１６、Ｓ１２０、Ｓ１２４、Ｓ１２８又はＳ１３２）の１つの設定を完了した後、
ユーザーは、ハンドヘルドプログラミング装置１０１を用いて、ステップＳ１１４へと分岐して別のパラメータを選択することができ、あるいは、
ユーザーは、安定器設定プロセス（ステップＳ１００）を離脱して、ハンドヘルドプログラミング装置上のユーザインタフェースにより提供された主メニューレベルに戻る（ステップＳ１３６）。従って、ユーザーは、ハンドヘルドプログラミング装置１０１を用いて、安定器１０２を設定し、上限状態、下限状態、フェード時間、安定器バーンイン、緊急状態中の出力レベルの状態を決定することができる。
【０１０５】
図４Ａ〜図４Ｌは、１つ以上の安定器１０２に対して、高レベル状態を設定するための、ハンドヘルドプログラミング装置１０１上に提供されるディスプレイスクリーンの例を示す。
【０１０６】
図４Ａでは、ユーザーは安定器１０２を設定するオプションを選択する。図４Ｂでは、ユーザーは、ハンドヘルドプログラミング装置をＩＲ受信機１０４に向け、チェックマークを備えたボタン形式のアイコンを選択するように促され、続いて、図４Ｃでは、ユーザーに、安定器リンク１１６上との通信を開始することを促す。
【０１０７】
ユーザーがアイコンを選択した後、図４Ｄの画面が表示され、ユーザーに対して、全ての安定器リンク１１６の器具が最小限輝度で作動し、安定器１０２と関連する器具だけが点滅することを確認するよう促す。
図４Ｅでは、ハンドヘルドプログラミング装置１０１は、安定器リンク１１６上の異なる安定器１０２を選択するための制御をユーザーに表示する。ユーザーは、好ましくは、図４Ｅで選択されたそれぞれの安定器１０２を設定する。
【０１０８】
図４Ｆでは、ユーザーに対して、図４Ｅで選択した安定器１０２に関連する照明器具が点滅し、その他の照明器具が最小輝度で作動することを（アイコンを選択することによって）確認するよう促す。この通りになった事をユーザーが指示すれば、図４Ｇの画面が表示され、ユーザーに対して、高レベル、フェード時間、安定器バーンイン又は緊急レベルの設定オプションを選択することを促す。
【０１０９】
ユーザーが、安定器１０２の高レベルを設定するオプションを選択すれば（図４Ｇ）、図４Ｈの画面が表示される。図４Ｈでは、ユーザーに、選択された安定器１０２に対して、高レベル状態の設定を開始することを促す。その後、図４Ｉの画面が表示され、これにより、安定器は点滅し、その後最大輝度で作動することを、ユーザーが確認できるようになる。
【０１１０】
次いで、ユーザーは、図４Ｊでは、選択された安定器１０２の出力レベルの増加又は減少の制御を選択する。ユーザーが高レベルに対する設定レベルに満足な時は、ユーザーは、アイコン（例示したチェックマーク付きボタン）を選択し、輝度レベルを選択すると、ハンドヘルドプログラミング装置１０１上に、図４Ｋに示す表示画面が提供される。これは、ユーザーがレベル設定の完了又は別の安定器１０２の選択をなし得る制御を行う。
【０１１１】
図４Ｋで選択を行った後、図４Ｌにより、安定器１０２に関連する照明器具が点滅しその後最高レベルで作動することを確認するよう、ユーザーに対して促す。従って、図４Ａ〜図４Ｌに例示されるようなハンドヘルドプログラミング装置１０１上の表示画面と対話することにより、ユーザーは、複数の安定器１０２のそれぞれの高レベルを決定することができる。
【０１１２】
図５Ａ〜図５Ｌは、一つ以上の安定器１０２に対して、フェード時間を設定するための、ハンドヘルドプログラミング装置１０１上に提供されるディスプレイスクリーンの例を示す。図５Ａでは、ユーザーは、安定器１０２を設定するオプションを選択する。図５Ｂでは、ユーザーは、ハンドヘルドプログラミング装置をＩＲ受信機１０４に向け、チェックマークを備えたボタン形式のアイコンを選択するように促される。続いて、図５Ｃでは、ユーザーに、安定器リンク１１６上との通信を開始することを促す。ユーザーがアイコンを選択した後、図５Ｄの画面が表示され、ユーザーに対して、全ての安定器リンク１１６の器具が最小限輝度で作動し、安定器１０２と関連する器具だけが点滅することを確認するように促す。
【０１１３】
図５Ｅでは、ハンドヘルドプログラミング装置１０１は、安定器リンク１１６上の異なる安定器１０２を選択するための制御をユーザーに表示する。
ユーザーは、好ましくは、図５Ｅで選択されたそれぞれの安定器１０２を設定する。図５Ｆでは、ユーザーに対して、図５Ｅで選択した安定器１０２に関連する照明器具が点滅し、その他の照明器具が最小輝度で作動することを（アイコンを選択することによって）確認するよう促す。この通りになった事をユーザーが指示すれば、図５Ｇの画面が表示され、ユーザーに対して、高レベル、フェード時間、安定器バーンイン又は緊急レベルの設定オプションを選択することを促す。
【０１１４】
ユーザーが、安定器１０２のフェード時間を設定するオプションを選択すれば（図５Ｇ）、図５Ｈの画面が表示される。図５Ｈでは、ユーザーに、選択された安定器１０２に対して、フェード時間の設定を開始することを促す。その後、図５Ｉの画面が表示され、これにより、安定器が点滅し、その後、所定の高レベルで作動することを、ユーザーが確認できるようになる。
【０１１５】
次いで、ユーザーは、図５Ｊでは、フェード時間値（例えば１０秒間、５秒間、２秒間、又は１秒間）の増加又は減少の制御を選択する。ユーザーがフェード時間の選択に満足な時は、ユーザーは、アイコン（例示したチェックマーク付きボタン）を選択して、フェード時間を選択すると、ハンドヘルドプログラミング装置１０１上に、図５Ｋに示す表示画面が提供される。これは、ユーザーがフェード時間の設定の完了又は別の安定器１０２の選択をなし得る制御を備える。
【０１１６】
図５Ｋで選択を行った後、ユーザーに対して、図５Ｌで、安定器１０２に関連する照明器具が点滅し、その後、高レベルで作動することを、確認するよう促す。従って、図５Ａ〜５Ｌに例示されるようなハンドヘルドプログラミング装置１０１上の表示画面と対話することにより、ユーザーは、複数の安定器１０２のそれぞれのフェード時間を決定することができる。
【０１１７】
図６Ａ〜図６Ｋは、１つ以上の安定器１０２に対して、バーンインプロセス状態を設定するための、ハンドヘルドプログラミング装置１０１上に提供されるディスプレイスクリーンの例を示す。図６Ａでは、ユーザーは安定器１０２を設定するオプションを選択する。図６Ｂでは、ユーザーは、ハンドヘルドプログラミング装置をＩＲ受信機１０４に向け、チェックマークを備えたボタン形式のアイコンを選択するように促される。
【０１１８】
続いて、図６Ｃでは、ユーザーに、安定器リンク１１６上との通信を開始することを促す。ユーザーがアイコンを選択した後、図６Ｄの画面が表示され、ユーザーに対して、全ての安定器リンク１１６の器具が最小限輝度で作動し、ＩＲ受信機１０４と関連する器具だけが点滅することを確認するよう促す。
【０１１９】
図６Ｅでは、ハンドヘルドプログラミング装置１０１は、安定器リンク１１６上の一つの安定器１０２を選択するための制御をユーザーに表示する。設定しようとする具体的な安定器１０２を選択するためには、ユーザーは、所望の安定器に関するランプが点滅を開始するまで、戻るボタン（左向き三角）や進むボタン（右向き三角）を押す。次いでユーザーは、「選択した安定器の設定」ボタンを押して、設定する所望の安定器を選択する。あるいは、ユーザーは、「全安定器の設定」ボタンを押して安定器リンクに接続される全ての安定器を、設定するために選択してもよい。ユーザーは、好ましくは、図６Ｅで選択されたそれぞれの安定器１０２を設定する。
【０１２０】
図６Ｆでは、ユーザーに対して、図６Ｅで選択した安定器１０２に関連する照明器具が点滅し、その他の照明器具が最小輝度で作動することを（アイコンを選択することによって）確認するように促す。この通りになった事をユーザーが指示すれば、図６Ｇの画面が表示され、ユーザーに対して、高レベル、フェード時間、安定器バーンイン又は緊急レベルの設定オプションを選択することを促す。
【０１２１】
ユーザーが、安定器１０２のバーンイン状態を設定するオプションを選択すれば（図６Ｇ）、図６Ｈの画面が表示される。安定器のバーンイン状態（即ち、バーンインプロセスの始動、バーンインプロセスの休止、又はバーンインプロセスの取消）を選択した後、図６Ｉの画面が表示され、これにより、選択した安定器が点滅しその後所定の高レベルでで作動することを、ユーザーが確認できるようになる。もしそうであると、ハンドヘルドプログラミング装置１０１上に、図６Ｊが提供され、これは、ユーザーがバーンインプロセスの設定の完了又は別の安定器１０２の選択をなし得る制御を行う。
【０１２２】
図６Ｊで選択を行った後、ユーザーに対して、図６Ｋで、安定器１０２に関連する照明器具が点滅し、その後、高レベルで作動することを確認するように促す。従って、図６Ａ〜図６Ｋに例示されるようなハンドヘルドプログラミング装置１０１上の表示画面と対話することにより、ユーザーは、複数の安定器１０２のそれぞれのバーンイン状態を決定することができる。
【０１２３】
図７Ａ〜図７Ｌは、１つ以上の安定器１０２が緊急状態中に作動するための、ハンドヘルドプログラミング装置１０１上に提供されるディスプレイスクリーンの例を示す。図７Ａでは、ユーザーは、安定器１０２を設定するオプションを選択する。図７Ｂでは、ユーザーは、ハンドヘルドプログラミング装置をＩＲ受信機１０４に向け、チェックマークを備えるボタン形式のアイコンを選択するように促され、続いて、図７Ｃでは、ユーザーに、安定器リンク１１６上との通信を開始することを促す。
【０１２４】
ユーザーがアイコンを選択した後、図７Ｄの画面が表示され、ユーザーに対して、全ての安定器リンク１１６の器具が最小限輝度で作動し、安定器１０２と関連する器具だけが点滅することを確認するよう促す。図７Ｅでは、ハンドヘルドプログラミング装置１０１は、安定器リンク１１６上の異なる安定器１０２を選択するための制御をユーザーに表示する。ユーザーは、好ましくは、図７Ｅで選択されたそれぞれの安定器１０２を設定する。
【０１２５】
図７Ｆでは、ユーザーに対して、図７Ｅで選択した安定器１０２に関連する照明器具が点滅し、その他の照明器具が最小輝度で作動することを（アイコンを選択することによって）確認するよう促す。この通りになった事をユーザーが指示すれば、図７Ｇの画面が表示され、ユーザーに対して、高レベル、フェード時間、安定器バーンイン又は緊急レベルの設定オプションを選択することを促す。
【０１２６】
ユーザーが緊急レベルを設定するオプションを選択すれば（図７Ｇ）、図７Ｈの画面が表示される。図７Ｈでは、ユーザーに、選択された安定器１０２に対して緊急レベルの設定を開始することを促す。その後、図７Ｉの画面が表示され、これにより、安定器が点滅し、その後、所定の高レベルでで作動することを、ユーザーが確認できるようになる。
【０１２７】
次いで、ユーザーは、図７Ｊでは、安定器１０２の輝度レベル値（例えば１００，７５，５０，２５又は影響なし）の増加又は減少の制御を選択する。ユーザーが緊急レベルの選択に満足な時は、ユーザーは、アイコン（例示したチェックマーク付きボタン）を選択して、緊急レベルを選択すると、ハンドヘルドプログラミング装置１０１上に、図７Ｋに示す表示画面が提供される。これは、ユーザーが緊急レベルの設定の完了又は別の安定器１０２の選択をなし得る制御を行う。
【０１２８】
図７Ｋで選択を行った後、ユーザーに対して、図７Ｌで、安定器１０２に関連する照明器具が点滅し、その後高レベルで作動することを確認するよう促す。従って、図７Ａ〜７Ｌに例示されるようなハンドヘルドプログラミング装置１０１上の表示画面と対話することにより、ユーザーは、複数の安定器１０２のそれぞれの緊急レベルを決定することができる。
【０１２９】
図８は、ハンドヘルドプログラミング装置１０１を用いて、昼光センサ等の光センサ１０６を設定する方法における各ステップＳ２００のフローチャートを示す。ステップＳ２０２では、ユーザーは、ハンドヘルドプログラミング装置１０１上で昼光センサ又は光センサ１０６を設定する選択を行う。ステップＳ２０４では、ユーザーは、ハンドヘルドプログラミング装置１０１をＩＲ受信機１０４に向け、光センサ１０６を設定するコマンドを安定器１０２に送信する。
【０１３０】
ステップＳ２０６で、システムの全ての照明器具は、最小の輝度レベルに移行することが好ましい。また、光センサ１０６に取り付けられた安定器１０２それぞれが、これに取り付けられるランプをオン・オフさせて点滅するようにする。ユーザーが昼光センサの代わりにＩＲ受信機を示している場合は、昼光センサ１０６に接続し最小のショートアドレスを有する安定器が点滅することが好ましい。
【０１３１】
ステップＳ２０８では、所望の安定器１０２が点滅中であるか否かに関係なく、ユーザーは決定を行う。もしそうでなければ、次いでステップＳ２１０で、ユーザーは、例えばハンドヘルドプログラミング装置１０１上の前後の安定器を選択することにより、異なる安定器を選択する。あるいは、正しい安定器が点滅しているとユーザーが決定すれば、次いでステップＳ２１２で、昼光センサに取り付けられた安定器は、その最大輝度を出力する。
【０１３２】
ステップＳ２１４では、ユーザーは、ハンドヘルドプログラミング装置の上でグラフィック制御を選択して、センサゲイン又は最低値を調整する。このように、ユーザーは、光の特定量が、たとえば室内で安定器をオン・オフさせるか、あるいは薄暗レベルに調光させる時点を検出するセンサの感度の度を決定することができる。ユーザーがセンサの設定に満足した時は、ユーザーは、ステップＳ２１８でプロセスを完了する。
【０１３３】
従って、ハンドヘルドプログラミング装置１０１上に提供したグラフィカルユーザインタフェースを用いることにより、ユーザーは、光センサ１０６の設定を行うことができる。
【０１３４】
図９Ａ〜図９Ｌは、人が居る環境を感知する１つ以上の人感センサ装置１０８に従って作動する１つ以上の安定器１０２を設定するための、ハンドヘルドプログラミング装置１０１上に提供されるディスプレイスクリーンの例を示す。図９Ａでは、ユーザーは、人感センサ１０８の占有のオプションを選択する（「占有者」と表示される）。図９Ｂでは、ユーザーは、ハンドヘルドプログラミング装置をＩＲ受信機１０４に向け、チェックマークを備えたボタン形式のアイコンを選択するように促され、続いて、図９Ｃでは、ユーザーに、安定器リンク１１６上との通信を開始することを促す。
【０１３５】
ユーザーがアイコンを選択した後、図９Ｄの画面が表示され、ユーザーに対して、全ての安定器リンク１１６の器具が最小限輝度で作動し、人感センサ１０８と関連する器具だけが点滅することを確認するよう促す。図９Ｅでは、ハンドヘルドプログラミング装置１０１は、安定器リンク１１６上の人感センサ１０８を選択するための制御をユーザーに表示する。ユーザーは、好ましくは、図９Ｅで選択された人感センサ１０８に接続したそれぞれの安定器１０２を設定する。
【０１３６】
図９Ｆでは、ユーザーに対して、図９Ｅで選択した人感センサ１０８に関連する１つ以上の照明器具が所定のランプ輝度レベルで作動し、他の全ての照明器具は最小輝度で作動していることを（アイコンを選択することによって）確認するよう促す。この通りになった事をユーザーが指示すれば、図９Ｇに示すような表示画面が、ハンドヘルドプログラミング装置１０１に表示され、占有レベル、非占有レベルを選択し、又はモードとタイムアウト値を決定することを、ユーザーに対して促す。
【０１３７】
人感センサ１０８が占有状態を報告した場合の安定器１０２の出力レベルを設定するオプションを、ユーザーが選択すれば（図９Ｇ）、図９Ｈの画面が表示される。図９Ｈでは、ユーザーに対し、照明器具が占有レベルで動作することを確認するよう促す。照明器具が占有レベルで作動していることを、ユーザーが確認できたなら、ユーザーに対して、この設定が、手動のオン・オフ状態での安定器の作動に対して影響を有しないという事をユーザーに通報する表示がなされる（図９Ｉ）。図９Ｊでは、ユーザーには、照明器具の輝度を増加又は減少させ、あるいは照明器具が所定のレベルで作動するよう決定する制御が与えられる。
【０１３８】
ユーザーが占有レベル用に設定される輝度レベルに満足な時は、ユーザーは、アイコン（例示したチェックマーク付きボタン）を選択して、占有輝度レベルを選択する。すると、ハンドヘルドプログラミング装置１０１上に、図９Ｋに示す表示画面が提供され、これは、ユーザーがレベル設定の完了又は別の人感センサ１０８の選択をなし得る制御を行う。
【０１３９】
図９Ｋで選択を行った後、ユーザーに対して、図９Ｌで、照明器具が高レベルで作動することを確認するよう促す。従って、図９Ａ〜図９Ｌに例示されるようなハンドヘルドプログラミング装置１０１上の表示画面と対話することにより、ユーザーは、占有状態を登録している複数の人感センサ１０８に応じて反応する複数の安定器１０２の輝度レベルを決定することができる。
【０１４０】
図１０Ａ〜図１０Ｋは、１つ以上の人が居ない環境を感知する１つ以上の人感センサ装置１０８に従って作動する１つ以上の安定器１０２を設定するための、ハンドヘルドプログラミング装置１０１上に提供されるディスプレイスクリーンの例を示す。
【０１４１】
図１０Ａでは、ユーザーは、人感センサ１０８の占有のオプションを選択する（「占有者」と表示される）。図１０Ｂでは、ユーザーは、ハンドヘルドプログラミング装置をＩＲ受信機１０４に向け、チェックマークを備えたボタン形式のアイコンを選択するように促され、続いて、図１０Ｃでは、ユーザーに、安定器リンク１１６上との通信を開始することを促す。ユーザーがアイコンを選択した後、図１０Ｄの画面が表示され、ユーザーに対して、全ての安定器リンク１１６の器具が最小限輝度で作動し人感センサ１０８と関連する器具だけが点滅することを確認するよう促す。
【０１４２】
図１０Ｅでは、ハンドヘルドプログラミング装置１０１は、安定器リンク１１６上の人感センサ１０８を選択するための制御をユーザーに表示する。ユーザーは、好ましくは、図１０Ｅで選択されたそれぞれの人感センサ１０８を設定する。図１０Ｆでは、ユーザーに対して、図１０Ｅで選択した人感センサ１０８に関連する１つ以上の照明器具が所定の非占有レベルで作動し、他の全ての照明器具は最小輝度で作動していることを（アイコンを選択することによって）確認するよう促す。この通りになった事をユーザーが指示すれば、図１０Ｇの画面が表示され、占有レベル、非占有レベルを選択し、又はモードとタイムアウト値を決定することを、ユーザーに対して促す。
【０１４３】
ユーザーが、人感センサ１０８が非占有状態を報告した場合の安定器１０２の出力レベルを設定するオプションを選択すれば（図１０Ｇ）、図１０Ｈの画面が表示される。図１０Ｈでは、ユーザーに対し、照明器具が占有レベルで動作することを確認するよう促す。照明器具が非占有レベルで作動していることを、ユーザーが確認できたなら、図１０Ｉでは、ユーザーに対し、照明器具の輝度の増加又は減少の制御が与えられる。
【０１４４】
ユーザーが非占有レベル用に設定されるレベルに満足な時は、ユーザーは、アイコン（例示したチェックマーク付きボタン）を選択して非占有輝度レベルを選択すると、ハンドヘルドプログラミング装置１０１上に、図１０Ｊに示す表示画面が提供される。これは、ユーザーがレベル設定の完了又は別の人感センサ１０８の選択をなし得る制御を行う。図１０Ｊで選択を行った後、ユーザーに対して、図１０Ｋで、照明器具が高レベルで作動することを確認するよう促す。
【０１４５】
従って、図１０Ａ〜図１０Ｋに例示されるようなハンドヘルドプログラミング装置１０１上の表示画面と対話することにより、ユーザーは、非占有状態を登録している複数の人感センサ１０８に応じて反応する複数の安定器１０２の輝度レベルを決定することができる。
【０１４６】
図１１Ａ〜図１１Ｌは、所定時間の間中一つ以上の人感センサ装置１０８が非占有環境を感知していた後（ここでは「タイムアウト」と称する）、照明器具を非占有レベルで作動するようにする１つ以上の安定器１０２を設定するための、ハンドヘルドプログラミング装置１０１上に提供されるディスプレイスクリーンの例を示す。従って、ユーザーは、ハンドヘルドプログラミング装置１０１に提供される安定器１０２のタイムアウト設定を決定する制御を用いることができる。
【０１４７】
図１１Ａでは、ユーザーは、人感センサ１０８の占有のオプションを選択する（「占有者」と称する）。図１１Ｂでは、ユーザーは、ハンドヘルドプログラミング装置をＩＲ受信機１０４に向け、チェックマークを備えたボタン形式のアイコンを選択するように促され、続いて、図１１Ｃでは、ユーザーに、安定器リンク１１６上との通信を開始することを促す。ユーザーがアイコンを選択した後、図１１Ｄの画面が表示され、ユーザーに対して、全ての安定器リンク１１６の器具が最小限輝度で作動し人感センサ１０８と関連する器具だけが点滅することを確認するよう促す。
【０１４８】
図１１Ｅでは、ハンドヘルドプログラミング装置１０１は、安定器リンク１１６上の人感センサ１０８を選択するための制御をユーザーに表示する。ユーザーは、好ましくは、図１１Ｅで選択されたそれぞれの人感センサ１０８を設定する。図１１Ｆでは、ユーザーに対して、図１０Ｅで選択した人感センサ１０８に関連する１つ以上の照明器具が所定の非占有レベルで作動し、他の全ての照明器具は最小輝度で作動していることを（アイコンを選択することによって）確認するよう促す。この通りになった事をユーザーが指示すれば、図１１Ｇの画面が表示され、占有レベル、非占有レベルを選択し、又はモードとタイムアウト値を決定することを、ユーザーに対して促す。
【０１４９】
ユーザーが、モード及びタイムアウトに対する安定器１０２の出力レベルを設定するオプションを選択すれば（図１１Ｇ）、図１１Ｈの画面が表示される。図１１Ｈでは、ユーザーに対し、照明器具が占有レベルで動作することを確認するよう促す。ユーザーが図１１Ｇでタイムアウトを決定するオプションを選択した後、このプロセス中に決定されるタイムアウト設定が、デフォルトのタイムアウトに加えて人感センサ１０８で設定されると通報する表示が、ユーザーに与えられる。
【０１５０】
ユーザーは、図１１Ｉで通報された後、プロセスの中止を決定してもよい。図１１Ｊでは、ユーザーには、安定器１０２がタイムアウトする時間（例えば３０秒間、１分間、２分間、５分間又は１０分間）を表す値を増加又は減少させる制御が与えられる。ユーザーが図１１Ｊで設定されるタイムアウト値に満足な時は、ユーザーは、アイコン（例示したチェックマーク付きボタン）を選択してタイムアウト値を選択すると、ハンドヘルドプログラミング装置１０１上に、図１１Ｋに示す表示画面が提供され、これは、ユーザーがタイムアウト値の設定完了又は別の人感センサ１０８の選択をなし得る制御を行う。
【０１５１】
図１１Ｋで選択を行った後、ユーザーに対して、図１１Ｌで、照明器具が高レベルで作動することを確認するよう促す。従って、図１１Ａ〜図１１Ｌに例示されるようなハンドヘルドプログラミング装置１０１上の表示画面と対話することにより、ユーザーは、占有状態を登録している複数の人感センサ１０８に応じて反応する複数の安定器１０２のタイムアウト値を決定することができる。
【０１５２】
図１２Ａ〜図１２Ｊは、別々のモードで人感センサに応じて作動する安定器１０２を設定するためのディスプレイスクリーンの例を示す。例えば、人感センサを、手動制御を介して安定器のスイッチをオンにした後、部屋が非占有時には自動的にスイッチをオフにし、あるいは、自動的にスイッチをオン・オフするように設定することができる。
【０１５３】
図１３は、ハンドヘルドプログラミング装置１０１を用いて、人感センサ装置を設定する方法に従って用いられる各ステップＳ３００のフローチャートを示す。図９に示されているフローチャートの例では、ユーザーは、人感センサタイムアウト値を決定する。ステップＳ３０２では、ユーザーは、ハンドヘルドプログラミング装置１０１上で、人感センサ装置１０８に接続した安定器を設定するための選択を行う。ステップＳ３０４では、ユーザーは、ハンドヘルドプログラミング装置１０１をＩＲ受信機１０４に向け、システム上の人感センサ１０８に接続される照明器具を除く全ての照明器具が最小の輝度で作動する。人感センサに接続する安定器は、点滅を開始する（ステップＳ３０６）。あるいは、人感センサに関して最小のショートアドレスを有している安定器１０２が点滅し始める。
【０１５４】
ステップＳ３０８では、ユーザーは、正しい安定器が点滅しているか否かを決定する。そうでなければ、ユーザーは、ハンドヘルドプログラミング装置１０１を用いて異なる安定器を選択する（ステップＳ３１０）。ユーザーが正しい安定器が点滅していると決定すれば、ユーザーはその安定器を選択し、選択された安定器は最大輝度で作動する。ユーザーは、ハンドヘルドプログラミング装置１０１を用いて、占有レベル及び非占有レベルを設定する。ステップＳ３１２では、ユーザーは、安定器１０２がランプをオフにする時間量を表す人感センサタイムアウトを調整する。例えば、ステップＳ３１４では、ユーザーは、ハンドヘルドプログラミング装置１０１上の値を選択することにより、タイムアウト値を増減させる。
【０１５５】
ユーザーが、ステップＳ３１２で選択されたセンサタイムアウト値に満足した後、ユーザーは、ステップＳ３１６及びプロセスの終了まで進む。従って、ハンドヘルドプログラミング装置１０１を用いることにより、ユーザーは、人感センサ装置１０８を設定するための選択を行うことができる。
【０１５６】
図１４は、特定の光センサ１０６で、一群の安定器を設定する方法Ｓ４００の各ステップを示すフローチャートである。ステップＳ４０２では、ユーザーは、昼光センサグループを決定する選択を、ハンドヘルドプログラミング装置１０１上で行う。ステップＳ４０４では、ユーザーは、ハンドヘルドプログラミング装置をＩＲ受信機１０４に向ける。光センサ１０６に接続する安定器は点滅を開始する（ステップＳ４０６）。ユーザーが昼光センサの代わりにＩＲ受信機で示している場合、昼光センサに接続し、最小のショートアドレスを有する安定器が点滅を開始する。
【０１５７】
ステップＳ４０８では、ユーザーは、点滅中の安定器が所望の安定器であるか否かの決定を行う。ユーザーが、点滅中の安定器は所望の安定器ではないと決定すれば、ユーザーは、ほぼ前述の通りに、ハンドヘルドプログラミング装置１０１を用いて、別の安定器を選択する（ステップＳ４１０）。ユーザーが、正しい安定器が点滅していると満足すれば、ユーザーは、その安定器を選択し、選択された安定器は、その最大輝度で作動する（ステップＳ４１２）。あるいは、次のショートアドレスを有する安定器が点滅し始める。
【０１５８】
次のアドレスの点滅中の安定器を観察しているユーザーは、ステップＳ４１４で、次アドレスの安定器をグループに加えるか否かの決定を行う。もしそうでなければ、ユーザーは、ほぼ前述の通りに、その次又は前の安定器を選択する（ステップＳ４１６）。ユーザーがグループに、この安定器を追加する要望があれば、ユーザーは、この安定器及び第２の安定器を選択し、その後、その最大輝度で作動し、プロセスはステップＳ４１２へと戻る。
【０１５９】
従って、次のショートアドレスを有する安定器が点滅し始め、ユーザーは、この安定器をグループに選択するか、別の安定器をグループ選択するか、あるいはステップＳ４１８でプロセスを終了させるかのいずれかを選択する。従って、ハンドヘルドプログラミング装置１０１を用い、ユーザーは、特定の光センサ１０６を用いて作動するための、一群の安定器を設定することができる。
【０１６０】
図１５は、ハンドヘルドプログラミング装置１０１を用いて、人感センサグループを決定する方法Ｓ５００の各ステップを例示するフローチャートである。ステップＳ５０２では、ユーザーは、人感センサグループを形成するための選択肢を、ハンドヘルドプログラミング装置１０１上で選択する。その後、ユーザーは、ハンドヘルドプログラミング装置１０１をＩＲ受信機１０４へ向ける。ステップＳ５０６では、人感センサに電気的に接続される安定器１０２が点滅を開始する。あるいは、昼光センサに接続し最小のショートアドレスを有する安定器が、点滅を開始する。ステップＳ５０８では、ユーザーは、点滅中の安定器が正しい安定器であるか否かの決定を行う。
【０１６１】
ユーザーが、点滅中の安定器は所望の安定器ではないと決定すれば、ユーザーは、ほぼ前述の通りに、ハンドヘルドプログラミング装置１０１を用いて別の安定器を選択する（ステップＳ５１０）。
【０１６２】
ユーザーが、ステップＳ５０８で正しい安定器が点滅していると満足すれば、ユーザーは、その安定器を選択し、選択された安定器は、その最大輝度で作動する（ステップＳ５１２）。あるいは、次のショートアドレスを有する安定器が点滅し始める。次のアドレスの点滅中の安定器を観察しているユーザーは、ステップＳ５１４で、次アドレスの安定器をグループに加えるか否かの決定を行う。もしそうでなければ、ユーザーは、ほぼ前述の通りに、その次又は前の安定器を選択する（ステップＳ５１６）。
【０１６３】
ユーザーがグループにこの安定器を追加する要望があれば、ユーザーは、この安定器及び第２の安定器を選択し、その後、その最大輝度で作動し、プロセスはステップＳ５１２へ戻る。従って、次のショートアドレスを有する安定器が点滅し始め、ユーザーは、この安定器をグループに選択するか、別の安定器をグループ選択するか、あるいはステップＳ５１８でプロセスを終了させるかのいずれかを選択する。
【０１６４】
安定器及びセンサ装置の設定に加え、ハンドヘルドプログラミング装置１０１は、光センサ１０６、人感センサ１０８、ＩＲ受信機１０４及びコンタクトクロージャ１１２に応じて、各安定器１０２が一緒に作動するための安定器１０２のグルーピングのためのインタフェースを提供する。
【０１６５】
光センサ１０６又は人感センサ１０８に関する安定器１０２のグルーピングに加えて、本発明は、ユーザーが、単一の赤外線受信デバイス１０４を介して、コマンドを受ける複数の安定器１０２を、ハンドヘルドプログラミング装置１０１を用いて関連させるか、又はグループ化することが可能になる。
【０１６６】
図１６は、特定の外線受信機装置１０４で、一群の安定器１０２を設定する方法Ｓ６００の各ステップを示すフローチャートを示す。ステップＳ６０２では、ユーザーは、ハンドヘルドプログラミング装置１０１上で選択を行い、単一の赤外線受信機１０４を介して作動する一群の安定器１０２を決定する。ステップＳ６０４では、ユーザーは、ハンドヘルドプログラミング装置をＩＲ受信機１０４へ向ける。赤外線受信機１０４に接続する安定器が、点滅を開始する（ステップＳ６０６）。
【０１６７】
ステップＳ６０８では、ユーザーは、点滅中の安定器が正しい安定器であるか否かの決定を行う。ユーザーが、ステップＳ６０８で、点滅中の安定器は正しい安定器ではないと決定したときは、ユーザーは、ほぼ前述の通りに、ハンドヘルドプログラミング装置１０１を用いて別の安定器を選択する（ステップＳ６１０）。正しい安定器１０２が点滅していると、ユーザーが満足したときは、ユーザーはそれを選択し、選択された安定器は、その最大輝度で作動する（ステップＳ６１２）。ユーザーは、次の点滅中の安定器１０２を観察し、ステップＳ６１４で、この安定器をグループに加えるべきか否かの決定を行う。もしそうでなければ、ユーザーはほぼ前述の通りに前後の安定器を選択する（ステップＳ６１６）。
【０１６８】
ユーザーがグループにこの安定器を追加する要望があれば、ユーザーは、この安定器及び係る安定器１０２を選択し、その後、その最大輝度で作動し、プロセスは、ステップＳ６１２へと戻る。従って、次のショートアドレスを有する安定器が点滅し始め、ユーザーは、この安定器をグループに選択するか、別の安定器１０２をグループ選択するか、あるいはステップＳ６１８でプロセスを終了させるかのいずれかを選択する。
従って、ハンドヘルドプログラミング装置１０１を用い、ユーザーは、単一の赤外線受信デバイス１０４を介してコマンドを受ける一群の複数の安定器１０２を設定することができる。
【０１６９】
上記のように、本発明は、例えばＤＡＬＩプロトコルを実行するシステム等の先行技術の照明制御システムに対して、ユーザーが、１つ以上の安定器１０２を交換・設定するために、ハンドヘルドプログラミング装置１０１を操作できるようにすることにより、改善を提供するものである。
【０１７０】
一具体例では、複数の交換安定器１０２を安定器リンク１１６上に物理的に設置した後、ユーザーはハンドヘルドプログラミング装置１０１を用いることにより、バス電源１１４が、交換された安定器１０２に関連しデータベース１１８内に保存される情報を参照できるようになる。好ましくは、新しい安定器１０２に対する新しい記録が作成され、この交換した安定器１０２に関する設定及び構成の情報は、新しい安定器１０２の記録にコピーされる。その後、この情報は、安定器リンク１１６を介して新しい安定器１０２へ伝送され、交換された安定器１０２からの全ての設定及び構成の情報が、新しい安定器１０２に自動的に提供されるため、新しい安定器１０２は、交換された安定器１０２がしたと全く同じ実行を行う。
【０１７１】
このプロセスを繰り返すことにより、複数の安定器１０２は、単一のプロセス内で交換が可能である。先行技術では、複数の安定器１０２に対するＤＡＬＩシステム交換は不可能であり、その理由は、２つ以上の割り当てのない安定器１０２を相互に区別する方法がないからである。データベース１１８の構成については、図２８を参照して後に説明する。
【０１７２】
図１７は、ハンドヘルドプログラミング装置１０１を用いて、１つ又は複数の安定器１０２を交換する方法Ｓ７００の各ステップを例示するフローチャートである。ステップＳ７０２では、ユーザーは、ハンドヘルドプログラミング装置１０１上で、安定器１０２を交換する選択を行う。ステップＳ７０４では、ユーザーは、ハンドヘルドプログラミング装置１０１をＩＲ受信機１０４に向け、通信を開始するオプションを選択する。
【０１７３】
ここに示す具体例では、ＩＲ受信機１０４を介して通信する際、ユーザーは、ハンドヘルドプログラミング装置１０１を用いて、交換された（古い）安定器１０２のシリアルナンバーを入力する（ステップＳ７０６）。その後、ユーザーは、交換した（新しい）安定器１０２のシリアルナンバーを入力する（ステップＳ７０８）。交換されたシリアルナンバー及び交換したシリアルナンバーを入力した際、ユーザーは、ハンドヘルドプログラミング装置上のオプションを選択して情報を伝送し、交換したこれらのシリアルナンバーを確認する（ステップＳ７１０）。
【０１７４】
短い期間の後、例えば１０秒後、バス電源装置１１４は、交換新安定器１０２に交換旧安定器１０２の構成及び設定情報を転送するプロセスを完了し、交換新安定器に関連するランプが、例えば４回点滅する（ステップＳ７１２）。点滅により、交換新安定器１０２は、安定器が交換旧安定器１０２によって設定されたことをユーザーに通報する。
【０１７５】
その後、ステップＳ７１４において、ユーザーは別の安定器１０２も交換すべきか否かの決定を行う。もしそうならば、プロセスはステップＳ７０６へ戻り、ユーザーは、そのシリアルナンバーにより、交換される別の安定器１０２を識別する。あるいは、ユーザーが別の安定器１０２を交換したいという希望がなければ、ユーザーは、プロセスを終了するオプションを選択し、例えばハンドヘルドプログラミング装置１０１のメインメニューに戻る（ステップＳ７１６）。従って、ハンドヘルドプログラミング装置１０１を用いることにより、ユーザーは、安定器リンク１１６上に設置される１つ又は多数の安定器１０２を交換することができる。
【０１７６】
安定器１０２及びセンサ装置１０６・１０８の設定に加え、本発明は、ハンドヘルドプログラミング装置１０１を用いて、コンタクトクロージャ入力１１２に応じて安定器１０２の動作を決定するためのインタフェースをユーザーに提供するものである。例えば、ハンドヘルドプログラミング装置１０１を用いて、ユーザーは、閉状態のコンタクトクロージャに対して、単一の安定器１０２又はグループの安定器１０２の設定を決定する。あるいは、ユーザーは、開状態のコンタクトクロージャに対して、単一の安定器１０２又はグループの安定器１０２の設定を決定する。更に、単一の安定器１０２又はグループの安定器１０２は、複数のコンタクトクロージャに対して設定することができる。
【０１７７】
図１８Ａ〜図１８Ｉは、閉状態で特定のコンタクトクロージャ入力１１２と関連する１つ以上の安定器１０２閉レベル設定を決定するため、ハンドヘルドプログラミング装置１０１上に提供される表示画面を例示する。
【０１７８】
図１８Ａでは、ユーザーは、「装置設定」オプションを選択し、図１８Ｂでは、コンタクトクロージャ１１２のオプションを選択する。図１８Ｃでは、ユーザーは、ハンドヘルドプログラミング装置をＩＲ受信機１０４に向け、チェックマークを備えたボタン形式のアイコンを選択して継続するように促される。ユーザーがアイコンを選択した後、ユーザーが、閉レベルの決定に対して選択すべき１つ以上のコンタクトクロージャ１１２を列挙する図１８Ｄが表示される。図１８Ｅでは、ユーザーは、図１８Ｄで選択されたそれぞれのコンタクトクロージャで設定される１つ以上の照明器具が、最大輝度で作動し、残り全部の照明器具は、最小輝度で作動している事を確認するよう（アイコンを選択することで）促される。
【０１７９】
この通りになった事をユーザーが指示すれば、図１８Ｆの画面が表示され、「閉レベル」、即ちコンタクトクロージャ入力１１２が閉状態の時の輝度レベルを設定するオプションを選択するよう、ユーザーに対して促すか、あるいは、「開レベル」、即ちコンタクトクロージャ入力１１２が開状態の時の輝度レベルを設定するオプションを選択するよう、ユーザーに対して促す。
【０１８０】
ユーザーが、閉レベルを設定するオプションを選択すれば（図１８Ｆ）、図１８Ｇの画面が表示され、照明器具が閉レベルで作動していることを確認するようユーザーを促す。デフォルト状態では、コンタクトクロージャ入力１１２に関連する照明負荷は、たとえばコンタクトクロージャ入力が閉の時、最小の輝度で作動する。ユーザーが照明負荷が閉レベルで作動していることを確認したとき、図１８Ｈでは、ユーザーには、照明器具の輝度増減する制御が提供される。
【０１８１】
ユーザーが閉レベルに対して設定したレベルで満足の場合は、ユーザーは、レベル設定を完了し、又は、別のコンタクトクロージャ入力１１２の選択のための選択肢を選択する。図１８Ｈで選択を行った後、ユーザーは、図１８Ｉで、全ての照明器具が高レベルで作動していることを確認するよう促される。従って、図１８Ａ〜図１８Ｉに例示されるようなハンドヘルドプログラミング装置１０１上の表示画面と対話することにより、ユーザーは、コンタクトクロージャ入力１１２の閉状態レベルを決定することができる。
【０１８２】
図１９Ａ〜図１９Ｉは、開状態で特定のコンタクトクロージャ入力１１２と関連する１つ以上の安定器１０２開レベル設定を決定するため、ハンドヘルドプログラミング装置１０１上に提供される表示画面を例示する。図１９Ａでは、ユーザーは、「装置設定」オプションを選択し、図１８Ｂでは、コンタクトクロージャ入力１１２のオプションを選択する。図１９Ｃでは、ユーザーは、ハンドヘルドプログラミング装置をＩＲ受信機１０４に向けるよう促される。
【０１８３】
ユーザーがアイコンを選択した後、ユーザーが、開レベルの決定に対して選択すべき１つ以上のコンタクトクロージャ１１２入力を列挙する図１９Ｄが表示される。図１９Ｅでは、ユーザーは、図１９Ｄで選択されたそれぞれのコンタクトクロージャで設定される１つ以上の照明器具が、最大輝度で作動し、残り全部の照明器具は、最小輝度で作動している事を確認するよう促される。この通りになった事をユーザーが指示すれば、図１９Ｆの画面が表示され、閉レベル又は開レベルを設定するオプションを選択するようユーザーに対して促す。
【０１８４】
ユーザーが、開レベルを設定するオプションを選択すれば（図１９Ｆ）、図１９Ｇの画面が表示され、照明器具が開レベルで作動していることを確認するようユーザーを促す。デフォルト状態では、コンタクトクロージャ入力１１２に関連する照明器具は、たとえばコンタクトクロージャ入力が開の時、最大の輝度で作動する。ユーザーが、照明器具が開レベルで作動していることを確認したとき、図１９Ｈでは、ユーザーには、照明器具の輝度増減する制御が提供される。
【０１８５】
ユーザーが、開レベルに対して設定したレベルで満足の場合は、ユーザーは、レベル設定を完了するか、又は、別のコンタクトクロージャ入力１１２の選択のための選択肢を選択する。図１９Ｈで選択を行った後、ユーザーは、図１９Ｉで、全ての照明器具が高レベルで作動していることを確認するよう促される。従って、図１９Ａ〜図１９Ｉに例示されるようなハンドヘルドプログラミング装置１０１上の表示画面と対話することにより、ユーザーは、コンタクトクロージャ入力１１２の開状態レベルを決定することができる。
【０１８６】
図２０Ａ〜図２０Ｉは、単一のＩＲ受信機を介して命令を受ける安定器１０２のグループを決定するため、ハンドヘルドプログラミング装置１０１上に提供される表示画面を例示する。図２０Ａでは、ユーザーは装置設定のオプションを選択する。図２０Ｂでは、ユーザーは、ＩＲ受信機１０４のオプションを選択する。図２０Ｃでは、ユーザーは、ハンドヘルドプログラミング装置をＩＲ受信機１０４に向け、チェックマークを備えたボタン形式のアイコンを選択して継続するように促され、図２０Ｄでは、ユーザーは、安定器リンク１１６上へ通信を開始するよう促される。
【０１８７】
ユーザーが、図２０Ｄのアイコンを選択した後、図２０Ｅの画面が表示され、ユーザーに対して、全ての安定器リンク１１６の器具が最小限輝度で作動し、ＩＲ受信機１０４と関連する器具だけが点滅することを確認するよう促す。図２０Ｅでは、ハンドヘルドプログラミング装置１０１は、安定器リンク１１６上の別のＩＲ受信機１０４を選択するための制御をユーザーに表示する。ユーザーが、図２０Ｆで選択されたそれぞれのＩＲ受信機１０４を設定することが好ましい。
【０１８８】
図２０Ｇでは、ユーザーに対して、図２０Ｆで選択したＩＲ受信機１０４に関連する照明器具のグループが最大輝度で作動し、その他の照明器具が最小輝度で作動することを（アイコンを選択することによって）確認するよう促す。この通りになった事をユーザーが指示すれば、図２０Ｈの画面が表示され、ユーザーに対して、照明器具の選択、照明器具の追加及び削減の設定オプションを選択することを促し、このグループ化のプロセスを終了させるか、又はグループ化すべき他のＩＲ受信機１０４を選択する。
【０１８９】
その後、図２０Ｉに示すように、安定器リンク１１６上の全ての照明器具は点滅し、その後、高レベルに戻る。従って、図２０Ａ〜２０Ｉに例示されるようなハンドヘルドプログラミング装置１０１上の表示画面と対話することにより、ユーザーは、１つ以上のＩＲ受信機１０４に関連する安定器１０２のグループを決定することができる。
【０１９０】
図２１Ａ〜２１Ｉは、光センサ装置１０６に関連して作動する安定器１０２のグループを決定するための、ハンドヘルドプログラミング装置１０１上に提供されるディスプレイスクリーンの例を示す。図２１Ａでは、ユーザーは装置設定のオプションを選択する。図２１Ｂでは、ユーザーは光センサ装置１０６のオプションを選択する。図２１Ｃでは、ユーザーは、ハンドヘルドプログラミング装置をＩＲ受信機１０４に向け、チェックマークを備えたボタン形式のアイコンを選択して継続するように促され、図２１Ｄでは、ユーザーは、安定器リンク１１６上へ通信を開始するよう促される。
【０１９１】
ユーザーが、図２１Ｄのアイコンを選択した後、図２１Ｅの画面が表示され、ユーザーに対して、全ての安定器リンク１１６の器具が最小限輝度で作動し、光センサ１０６と関連する器具だけが点滅することを確認するよう促す。図２１Ｅでは、ハンドヘルドプログラミング装置１０１は、安定器リンク１１６上の別の光センサ１０６を選択するための制御をユーザーに表示する。ユーザーが、図２１Ｆで選択されたそれぞれの光センサ１０６を設定することが好ましい。
【０１９２】
図２１Ｇでは、ユーザーに対して、図２１Ｆで選択した光センサ１０６に関連する照明器具のグループが最大輝度で作動し、その他の照明器具が最小輝度で作動することを（アイコンを選択することによって）確認するよう促す。この通りになった事をユーザーが指示すれば、図２１Ｈの画面が表示され、ユーザーに対して、照明器具の選択、照明器具の追加及び削減の設定オプションを選択することを促し、このグループ化のプロセスを終了させるか、又はグループ化すべき他の光センサ１０６を選択する。その後、図２１Ｉに示すように、安定器リンク１１６上の全ての照明器具は点滅し、その後、高レベルに戻る。
【０１９３】
従って、図２１Ａ〜図２１Ｉに例示されるようなハンドヘルドプログラミング装置１０１上の表示画面と対話することにより、ユーザーは、１つ以上の光センサ１０６に関連する安定器１０２のグループを決定することができる。
【０１９４】
図２２Ａ〜図２２Ｉは、人感センサ１０８に関連して作動する安定器１０２のグループを決定するため、ハンドヘルドプログラミング装置１０１上に提供される表示画面を例示する。図２２Ａでは、ユーザーは、装置設定のオプションを選択する。図２２Ｂでは、ユーザーは、人感デバイス１０８のオプションを選択する。図２２Ｃでは、ユーザーは、ハンドヘルドプログラミング装置をＩＲ受信機１０４に向け、チェックマークを備えたボタン形式のアイコンを選択して継続するように促され、図２２Ｄでは、ユーザーは、安定器リンク１１６上へ通信を開始するよう促される。
【０１９５】
ユーザーが、図２２Ｄのアイコンを選択した後、図２２Ｅの画面が表示され、ユーザーに対して、全ての安定器リンク１１６の器具が最小限輝度で作動し、人感デバイス１０８と関連する器具だけが点滅することを確認するよう促す。
【０１９６】
図２２Ｆでは、ハンドヘルドプログラミング装置１０１は、安定器リンク１１６上の別の人感デバイス１０８を選択するための制御をユーザーに表示する。ユーザーが、図２２Ｆで選択されたそれぞれの人感デバイス１０８を設定することが好ましい。図２２Ｇでは、ユーザーに対して、図２２Ｆで選択した人感デバイス１０８に関連する照明器具のグループが最大輝度で作動し、その他の照明器具が最小輝度で作動することを（アイコンを選択することによって）確認するよう促す。この通りになった事をユーザーが指示すれば、図２２Ｈの画面が表示され、ユーザーに対して、照明器具の選択、照明器具の追加及び削減の設定オプションを選択することを促し、このグループ化のプロセスを終了させるか、又はグループ化すべき他の人感デバイス１０８を選択する。
【０１９７】
その後、図２２Ｉに示すように、安定器リンク１１６上の全ての照明器具は点滅し、その後、高レベルに戻る。従って、図２２Ａ〜２２Ｉに例示されるようなハンドヘルドプログラミング装置１０１上の表示画面と対話することにより、ユーザーは、１つ以上の人感デバイス１０８に関連する安定器１０２のグループを決定することができる。
【０１９８】
図２３Ａ〜図２３Ｌは、本発明に従って安定器１０２を交換する、ハンドヘルドプログラミング装置１０１上に提供される表示画面を例示している。図２３Ａでは、ユーザーは安定器１０２を交換するオプションを選択する。
図２３Ｂでは、ユーザーは、ハンドヘルドプログラミング装置をＩＲ受信機１０４に向け、チェックマークを備えたボタン形式のアイコンを選択して継続するように促され、図２３Ｃでは、ユーザーは、安定器リンク１１６上へ通信を開始するよう促される。
【０１９９】
ユーザーがアイコンを選択した後、ユーザーに、交換した（古い方）安定器１０２のシリアルナンバーを入力することを促すよう、図２３Ｄが表示される。図２３Ｅにおいて、ハンドヘルドプログラミング装置１０１は、交換後（新しい）安定器１０２のシリアルナンバーを入力するためのユーザー制御を表示する。図２３Ｆでは、ユーザーは、例えばアイコン等のグラフィックスクリーン制御を選択することにより、交換を確認する。
【０２００】
図２３Ｇは、ユーザーが、新しい交換後安定器１０２が点滅し、次いで高輝度に移行したことを確認することを可能にする表示画面を例示する。交換後安定器１０２が点滅し、次いで、高輝度に移行することにより、ユーザーは、バス電源１１６が、交換（旧）安定器１０２に対応する構成及び設定情報を、そのデータベースから交換後（新）安定器１０２にへとコピーしたことを確認することができる。図２３Ｈでは、ユーザーは、別の安定器１０２を交換するか、又はプロセスを完了するよう促される。図２３Ｉでは、ユーザーは、交換後安定器が、高レベルで作動していることを確認するよう促される。
【０２０１】
図２３Ｊは、たとえば図２３Ｄ及び図２３Ｅに示すように、ユーザーが、データ入力においてミスを犯した場合に表示されるエラーメッセージを例示する。図２３Ｊに示される例では、ユーザーは、入力した安定器のシリアルナンバーが不正確であり、１４の数字の長さであるよう、フォーマットされなければならないと促される。ユーザーは、図２３Ｄ及び図２３Ｅで示される表示画面に戻って、妥当な補正を行うよう促される。図２３Ｋは、安定器の交換プロセスが失敗した際のエラーメッセージを示す表示画面の例である。
【０２０２】
図２３Ｋでは、照明器具は、初期設定された回数だけ点滅する。照明器具が点滅する回数は、特定のエラーコードを表す。例えば、図２３Ｌで示すように、点滅１回は、ＩＲ受信機１０４がコマンドを正しく受けなかった事を表し；点滅２回は、交換後安定器１０２のシリアルナンバーが不正確であることをを表し；点滅３回は、交換前安定器１０２のシリアルナンバーが不正確であることを表す。ユーザーは、従って、プロセスを繰り返すよう促される。
【０２０３】
従って、図２３Ａ〜図２３Ｌに例示されるようなハンドヘルドプログラミング装置１０１上の表示画面と対話することにより、ユーザーは、複数の安定器１０２を交換することができる。
【０２０４】
場合により、ユーザーは、安定器リンクシステム１００全体の設定を、初期工場出荷時の設定にリセットし、従って、リンク１１６上の装置全てを再設定することを要望する。図２４Ａ〜２４Ｋは、本発明に従って新しい安定器システム１００のアドレス指定を行い、システム１００をリセットするため、ハンドヘルドプログラミング装置１０１上に提供される表示画面を例示する。
【０２０５】
図２４Ａでは、ユーザーは装置設定のオプションを選択する。図２４Ｂでは、システムのアドレス指定を行う選択肢を選択する。図２４Ｃでは、ユーザーは、新しい安定器１０２のアドレス指定を行うか、新しいシステム１００全体のアドレス指定を行うかのいずれかを選択するよう促される。システム１００のアドレス指定を行うオプションを選択した後、図２４Ｄが表示され、ユーザーは、ハンドヘルドプログラミング装置をＩＲ受信機１０４に向け、チェックマークを備えたボタン形式のアイコンを選択して、継続するように促される。
【０２０６】
図２４Ｅでは、ユーザーは、システム全体がリセットされていることを確認するよう促される。再設定システム１００は、非常に攻撃的な手順であるため、ユーザーには、確認のための第２のオプションとして、図２４Ｆで、システムをリセットすることが促される。ユーザーが図２４Ｆで、システムをリセットすることを所望することが確認された時、図２４Ｇが表示され、ユーザーに対して、全ての安定器１０２が３回点滅することを通告する。
【０２０７】
図２４Ｈでは、再設定プロセスが行われたことをユーザーに知らせ、ユーザーは、システムのアドレス指定を開始し、ここに記載されるように、プログラミング構成及び設定を開始するよう促される。図２４Ｉでは、ユーザーは、全ての安定器１０２に対して、アドレス指定のために電力が供給されたことを確認するよう促され、また、ユーザーはシステム１００上の装置のアドレス指定を開始するよう促される。図２４Ｊでは、ユーザーは、システム上の全ての照明器具が最高の輝度に移行し、アドレス指定された際に、最小の輝度で作動するよう促される。ユーザーは、この通りになったことを確認するよう促される。
【０２０８】
図２４Ｋでは、ユーザーは、システム１００上の全ての照明器具が、それぞれの高レベルにあり、よって新しいシステムのアドレス指定が行われたことを、確認するよう促される。従って、図２４Ａ〜図２４Ｋに例示されるようなハンドヘルドプログラミング装置１０１上の表示画面と対話することにより、ユーザーは、システム１００上全ての装置をリセットし、アドレス指定を行うことができる。
【０２０９】
ユーザーが、システム１００の装置を工場出荷時の設定にリセットすることだけを希望する場合には、図２５Ａ〜図２５Ｆに示されている表示画面から、選択肢を選択する。図２５Ｂで、システム１００をリセットするオプションを選択し、その後、図２５Ｃ〜２５Ｆに示す妥当な選択を行うことにより、ユーザーは、安定器リンク１１６上の装置に対して、工場出荷時の設定を回復させることができる。
【０２１０】
図２６Ａ〜図２６Ｊは、縦−横のグリッド２００（図２）で設定される安定器１０２の運転中の設定を決定するため、ハンドヘルドプログラミング装置１０１上に提供される表示画面を例示している。
【０２１１】
図２６Ａでは、ユーザーが昼光デバイス（即ち光センサ）１０６を設定するためにオプションを選択する。図２６Ｂでは、ユーザーは、ハンドヘルドプログラミング装置をＩＲ受信機１０４に向け、チェックマークを備えるボタン形式のアイコンを選択して、継続するように促され、図２６Ｃでは、ユーザーは、安定器リンク１１６上へ通信を開始するよう促される。ユーザーがアイコンを選択した後、図２６Ｄの画面が表示され、ユーザーに対して、全ての安定器リンク１１６の器具が最小限輝度で作動し、光センサ１０６に関連する器具だけが点滅することを確認するように促す。
【０２１２】
図２６Ｅでは、ハンドヘルドプログラミング装置１０１は、安定器リンク１１６上の別の光センサ１０６を選択するための制御をユーザーに表示する。ユーザーが、図２６Ｅで選択されたそれぞれの光センサ１０６を設定することが好ましい。
【０２１３】
図２６Ｆで表示される制御を用い、ユーザーは、選択されたセンサ１０６のグループの横列１に属する照明器具は、フル輝度で作動し、システム１００中の他の全ての照明器具は、最小限輝度で作動することを（アイコンを選択することによって）確認する。そのようであれば、ユーザーには、図２６Ｇで、それぞれの横列を選択し、かつこの横列に関連するそれぞれの照明器具を選択し、決定された横列の照明器具を追加・削減し、この選択を提出する制御が行われる。
【０２１４】
図２６Ｈでは、ユーザーは、ハンドヘルドプログラミング装置１０１を用いて（関連する照明器具を有する）、それぞれの横列を選択し、例えば窓から到達する光を補正するため、輝度レベルを増減する制御を選択する。ユーザーが設定に満足な時は、プロセスを完了するための制御を選択し、図２６Ｉにおいて、別の光センサ１０６を選択するか、あるいはプロセスを完了するかの何れかが促される。完了させる場合は、ユーザーは、図２６Ｊで、システム１００内の照明器具全てが点滅し、それぞれの最大のレベルに戻ることを確認するよう促される。
【０２１５】
従って、図２６Ａ〜図２６Ｊに例示されるようなハンドヘルドプログラミング装置１０１上の表示画面と対話することにより、ユーザーは、照明器具の横列それぞれの輝度レベルを決定することができる。
【０２１６】
光センサ１０６に対応する横列のグループを決定することに加えて、ユーザーは、シーンを決定し、壁制御１１０を介して、シーンを有効にすることができる。図２７Ａ〜図２７Ｊは、壁制御１１０を設定し、縦−横のグリッド２００で決定された横列に従ってシーンを決定し、有効にするための、ディスプレイスクリーンの例を示す。
【０２１７】
図２７Ａでは、ユーザーは、壁制御１１０を設定するためのオプションを選択する。図２７Ｂでは、ユーザーは、ハンドヘルドプログラミング装置をＩＲ受信機１０４に向け、チェックマークを備えたボタン形式のアイコンを選択して、継続するように促され、図２７Ｃでは、ユーザーは、安定器リンク１１６上へ通信を開始するよう促される。
【０２１８】
ユーザーがアイコンを選択した後、図２７Ｄの画面が表示され、ユーザーに対して、全ての安定器リンク１１６の器具が最小限輝度で作動し、壁制御１１０に関連する器具だけが点滅することを確認するように促す。図２７Ｅでは、ハンドヘルドプログラミング装置１０１は、安定器リンク１１６上の別の壁制御１１０を選択するための制御をユーザーに表示する。ユーザーが、図２７Ｅで選択されたそれぞれの壁制御１１０を設定することが好ましい。
【０２１９】
図２７Ｆで表示される制御を用い、ユーザーは、シーン１で与えられる選択された壁制御１１０の照明器具のグループが、それぞれのシーンレベルで作動することを（アイコンを選択することによって）確認する。そのようであれば、ユーザーには、図２７Ｇで、それぞれの横列を選択し、この横列に関連するそれぞれの照明器具を選択し、それぞれのシーンを選択し、それぞれのシーンの輝度レベルを調整する制御が提供される。
【０２２０】
更に、図２７Ｈでは、ユーザーは、照明器具をシーンと関連させ、決定されたシーンから照明器具を追加・削減し、この選択を提出する。ユーザーが設定に満足すれば、プロセスを完了するために制御を選択し、図２７Ｉで、別の壁制御１１０を選択するか、あるいはプロセスを完了するかの何れかが促される。完了させる場合は、ユーザーは、図２７Ｊで、システム１００内の照明器具全てが点滅しそれぞれの最大のレベルに戻ることを確認するよう促される。
【０２２１】
従って、図２７Ａ〜図２７Ｊに例示されているようなハンドヘルドプログラミング装置１０１上の表示画面と対話することにより、ユーザーは、１つ以上の壁制御１１０と関連するシーンに対し、それぞれの輝度レベルを決定することができる。
【０２２２】
本発明の好適な具体例では、ユーザーは、ハンドヘルドプログラミング装置１０１を用いて、電源バス１１４上のデータベース１１８を回復させることができる。例えば、電源バス１１４が故障し、交換が必要な場合、交換前電源バス１１４のデータベース１１８にアクセスできない場合がある。好ましくは、一旦交換後電源バス１１８が物理的に設置され電力を供給された後は、ユーザーは、ハンドヘルドプログラミング装置１０１上の一つ以上の制御を選択し、交換後動力バス１１４にデータベース１１８を構築するように指示する。各安定器１０２は、そのそれぞれのメモリにおいて、係る安定器１０２の構成及び設定情報を保存することが好ましい。
【０２２３】
例えば、単一の安定器の上限状態、下限状態、緊急設定、グループ分け設定等に対する値が、安定器１０２のメモリに保存される。電源バス１１４の交換プロセス中、電源バス１１８は、好ましくは、安定器リンク１１６上の各安定器１０２に対して一つずつ指示を行い、それぞれの構成及び設定情報を交換後電源バス１１４に伝送する。電源バス１１４は、好ましくは識別子（即ちショートアドレス）を各安定器１０２に割り当て、各安定器１０２のそれぞれの情報で、データベース１１８が占められる。
【０２２４】
図２８は、バス電源装置１１４上に保存されるデータベースの例に従って、安定器１０２の構成及び設定の情報を保存するデータ表のための、データベースレコードのレイアウト３００の表示を例示する。図２８に示す例では、安定器のショートアドレスフィールド３０２は、バス電源装置１１４によって割り当てられ安定器リンク１１６上で作動する安定器１０２を表す複数のショートアドレスを保存する。
【０２２５】
データフィールド３０４は、例えば長さ１２８バイトのロングストリングデータを表し、それぞれの安定器１０２の各種構成及び設定情報を保存する。データフィールド３０４の横列３０６で示されるデータは、その番号と同じバイト（例えば０〜１２７）の情報を表す。データフィールド３０４の横列３０８に示されるデータは、それぞれ番号と同じバイトで保存されるデータを表す。図２８で示される例では、それぞれの安定器１０２のシリアルナンバーは、７バイトである。従来技術で既知であり、また上記されるように、情報は、いろいろなバイトの安定器１０２のシリアルナンバーでコード化される。
【０２２６】
当業者であれば、バス電源装置１１４は、フィールド３０２に保存されるショートアドレス値の関数として安定器１０２と高速で通信することができることを認識しうると思う。バス電源１１４と安定器１０２との通信が、それぞれのシリアルナンバーだけを介してだけに制限されるなら、データ処理性能は、非常に低速になる。何故なら、バス電源装置１１４が７バイトのシリアルナンバーの場所を指定するために、１２８文字バイトのアレイ（又は他のデータフィールド）をあちこち捜さざるを得ないからである。
【０２２７】
ショートアドレスフィールド３０２の上でデータ表３００にインデックスを付けることによって、相当なパフォーマンスの向上が実現する。従って、例えば、ユーザーがハンドヘルドプログラミング装置１０１上で、安定器１０２のグループの輝度設定を下げるための制御を選択する場合、応答時間は非常に短く、そのため、ユーザーはほぼ即時に輝度の低下を確認できる。
【０２２８】
他のデータベース表（図示せず）は、バス電源装置１１４上のデータベース１１８に保存されることが好ましい。例えば、光センサ識別子を安定器のショートアドレスに関連させるデータを保存する表が維持されることが好ましい。同様に、人感センサ識別子を安定器ショートアドレスに関連させるデータを保存する表が、バス電源装置１１４上に維持される。
【０２２９】
ＩＲ受信機１０４を壁制御１１０に対応させる別の表が維持されることが好ましい。別の表には、例えば、図２に関して上記したグリッド２００及び対応する安定器１０２の値に関連した情報を保存されることが好ましい。例えば上限状態、フェード時間、人感センサモード情報、タイムアウト等に関連する値など、安定器のシステム情報を保存する別の表が維持されることが好ましい。データ表は、図２８に示される例と同様のフォーマットが与えられる。
【０２３０】
従って、好ましくは複数の表が保存され、バス電源装置１１４によって用いられることにより、例えばハンドヘルドプログラミング装置１０１に関するプロセス等、ここに記載されるプロセスは可能になる。
【０２３１】
従って、ここに記載し、かつ図示したように、本発明は、ユーザーが、安定器リンク１１６上に設置される複数の装置の各種有効構成及び制御を実行することを可能にする。先行技術のシステムとは異なり、本発明は、ユーザーが、ハンドヘルドプログラミング装置１０１を操作して、安定器リンク１１６と通信を行い、安定器１０２の設定を行い、安定器１０２を一つ以上の光センサ、人感センサ及び運転中のグループに関連させ、バス電源装置１１４内に、複数の安定器に関連するこの構成情報を保存する。
【０２３２】
また本発明によれば、ユーザーが、複数の光センサ１０６や、人感センサ１０８を１つ以上の安定器１０２と関連させる（ハンドヘルドプログラミング装置１０１を介して）ことができるようになる。
【０２３３】
更に、本発明は、安定器のハードコード化されたシリアルナンバーを含むデータの比較的長いストリングを、あちこち捜す代わりに、ショートアドレスを各安定器１０２に割り当てることにより、安定器リンク１１６上の安定器１０２のアドレス指定を行うための新規な方法を有している。
【０２３４】
更に、本発明は、例えばバス電源１０４の故障の場合には、バス電源装置１１４が、安定器１０２の構成及び設定情報を保存し構築し直す新規な方法を有している。
【０２３５】
更に、本発明によると、複数の安定器１０２が安定器リンク１１６上に設置され電力が供給された後においても、複数の安定器１０２に対して、１つのプロセスで再保存された構成情報に交換することが可能になる。
【０２３６】
更に、安定器１０２と関連した照明器具を点滅させることによって通信を行う有用な方法を提供するもので、本発明のユーザーには、操作が正常に進捗していることが、高速かつ簡便に通知される。
【０２３７】
更に、上に記載したプロセス等の各種プロセスの間、ハンドヘルドプログラミング装置１０１上に提供される多数の表示画面により、ユーザーには、情報や支持がもたらされることが可能になる。
【０２３８】
以上、本発明につき、特定の具体例に即して記載してきたが、他の多くの変形や変更、他の使用態様についても、当業者には自明であると思う。従って、本発明は、上記した具体的な開示内容それ自体により、限定されるものではない。
【図面の簡単な説明】
【０２３９】
【図１】安定器、赤外線受信機、光センサ、人感センサ、壁制御、及び安定器リンク上に通信するバス電源装置を含む複数の装置を例示する図である。
【図２】窓を有する部屋内で、横及び縦に配置される照明器具及び安定器１０２のグリッドを例示する図である。
【図３】本発明に従って、ハンドヘルドプログラミング装置を用いた１つ以上の安定器を設定する方法を例示するフローチャートである。
【図４Ａ】１つ以上の安定器に対して上限状態を設定するハンドヘルドプログラミング装置に与えられた例を示す図である。
【図４Ｂ】１つ以上の安定器に対して上限状態を設定するハンドヘルドプログラミング装置に与えられた例を示す図である。
【図４Ｃ】１つ以上の安定器に対して上限状態を設定するハンドヘルドプログラミング装置に与えられた例を示す図である。
【図４Ｄ】１つ以上の安定器に対して上限状態を設定するハンドヘルドプログラミング装置に与えられた例を示す図である。
【図４Ｅ】１つ以上の安定器に対して上限状態を設定するハンドヘルドプログラミング装置に与えられた例を示す図である。
【図４Ｆ】１つ以上の安定器に対して上限状態を設定するハンドヘルドプログラミング装置に与えられた例を示す図である。
【図４Ｇ】１つ以上の安定器に対して上限状態を設定するハンドヘルドプログラミング装置に与えられた例を示す図である。
【図４Ｈ】１つ以上の安定器に対して上限状態を設定するハンドヘルドプログラミング装置に与えられた例を示す図である。
【図４Ｉ】１つ以上の安定器に対して上限状態を設定するハンドヘルドプログラミング装置に与えられた例を示す図である。
【図４Ｊ】１つ以上の安定器に対して上限状態を設定するハンドヘルドプログラミング装置に与えられた例を示す図である。
【図４Ｋ】１つ以上の安定器に対して上限状態を設定するハンドヘルドプログラミング装置に与えられた例を示す図である。
【図４Ｌ】１つ以上の安定器に対して上限状態を設定するハンドヘルドプログラミング装置に与えられた例を示す図である。
【図５Ａ】１つ以上の安定器に対してフェード時間を設定するハンドヘルドプログラミング装置に与えられた例を示す図である。
【図５Ｂ】１つ以上の安定器に対してフェード時間を設定するハンドヘルドプログラミング装置に与えられた例を示す図である。
【図５Ｃ】１つ以上の安定器に対してフェード時間を設定するハンドヘルドプログラミング装置に与えられた例を示す図である。
【図５Ｄ】１つ以上の安定器に対してフェード時間を設定するハンドヘルドプログラミング装置に与えられた例を示す図である。
【図５Ｅ】１つ以上の安定器に対してフェード時間を設定するハンドヘルドプログラミング装置に与えられた例を示す図である。
【図５Ｆ】１つ以上の安定器に対してフェード時間を設定するハンドヘルドプログラミング装置に与えられた例を示す図である。
【図５Ｇ】１つ以上の安定器に対してフェード時間を設定するハンドヘルドプログラミング装置に与えられた例を示す図である。
【図５Ｈ】１つ以上の安定器に対してフェード時間を設定するハンドヘルドプログラミング装置に与えられた例を示す図である。
【図５Ｉ】１つ以上の安定器に対してフェード時間を設定するハンドヘルドプログラミング装置に与えられた例を示す図である。
【図５Ｊ】１つ以上の安定器に対してフェード時間を設定するハンドヘルドプログラミング装置に与えられた例を示す図である。
【図５Ｋ】１つ以上の安定器に対してフェード時間を設定するハンドヘルドプログラミング装置に与えられた例を示す図である。
【図５Ｌ】１つ以上の安定器に対してフェード時間を設定するハンドヘルドプログラミング装置に与えられた例を示す図である。
【図６Ａ】１つ以上の安定器に対してバーンインプロセス状態を設定するハンドヘルドプログラミング装置に与えられた例を示す図である。
【図６Ｂ】１つ以上の安定器に対してバーンインプロセス状態を設定するハンドヘルドプログラミング装置に与えられた例を示す図である。
【図６Ｃ】１つ以上の安定器に対してバーンインプロセス状態を設定するハンドヘルドプログラミング装置に与えられた例を示す図である。
【図６Ｄ】１つ以上の安定器に対してバーンインプロセス状態を設定するハンドヘルドプログラミング装置に与えられた例を示す図である。
【図６Ｅ】１つ以上の安定器に対してバーンインプロセス状態を設定するハンドヘルドプログラミング装置に与えられた例を示す図である。
【図６Ｆ】１つ以上の安定器に対してバーンインプロセス状態を設定するハンドヘルドプログラミング装置に与えられた例を示す図である。
【図６Ｇ】１つ以上の安定器に対してバーンインプロセス状態を設定するハンドヘルドプログラミング装置に与えられた例を示す図である。
【図６Ｈ】１つ以上の安定器に対してバーンインプロセス状態を設定するハンドヘルドプログラミング装置に与えられた例を示す図である。
【図６Ｉ】１つ以上の安定器に対してバーンインプロセス状態を設定するハンドヘルドプログラミング装置に与えられた例を示す図である。
【図６Ｊ】１つ以上の安定器に対してバーンインプロセス状態を設定するハンドヘルドプログラミング装置に与えられた例を示す図である。
【図６Ｋ】１つ以上の安定器に対してバーンインプロセス状態を設定するハンドヘルドプログラミング装置に与えられた例を示す図である。
【図７Ａ】安定器の緊急状態中に作動するレベルを設定するハンドヘルドプログラミング装置に与えられた例を示す図である。
【図７Ｂ】安定器の緊急状態中に作動するレベルを設定するハンドヘルドプログラミング装置に与えられた例を示す図である。
【図７Ｃ】安定器の緊急状態中に作動するレベルを設定するハンドヘルドプログラミング装置に与えられた例を示す図である。
【図７Ｄ】安定器の緊急状態中に作動するレベルを設定するハンドヘルドプログラミング装置に与えられた例を示す図である。
【図７Ｅ】安定器の緊急状態中に作動するレベルを設定するハンドヘルドプログラミング装置に与えられた例を示す図である。
【図７Ｆ】安定器の緊急状態中に作動するレベルを設定するハンドヘルドプログラミング装置に与えられた例を示す図である。
【図７Ｇ】安定器の緊急状態中に作動するレベルを設定するハンドヘルドプログラミング装置に与えられた例を示す図である。
【図７Ｈ】安定器の緊急状態中に作動するレベルを設定するハンドヘルドプログラミング装置に与えられた例を示す図である。
【図７Ｉ】安定器の緊急状態中に作動するレベルを設定するハンドヘルドプログラミング装置に与えられた例を示す図である。
【図７Ｊ】安定器の緊急状態中に作動するレベルを設定するハンドヘルドプログラミング装置に与えられた例を示す図である。
【図７Ｋ】安定器の緊急状態中に作動するレベルを設定するハンドヘルドプログラミング装置に与えられた例を示す図である。
【図７Ｌ】安定器の緊急状態中に作動するレベルを設定するハンドヘルドプログラミング装置に与えられた例を示す図である。
【図８】ハンドヘルドプログラミング装置を用いて昼光センサを設定する方法のフローチャートである。
【図９Ａ】占有状態を感知する１つ以上の人感センサに従って作動する１つ以上の安定器を設定するための画面を例示する図である。
【図９Ｂ】占有状態を感知する１つ以上の人感センサに従って作動する１つ以上の安定器を設定するための画面を例示する図である。
【図９Ｃ】占有状態を感知する１つ以上の人感センサに従って作動する１つ以上の安定器を設定するための画面を例示する図である。
【図９Ｄ】占有状態を感知する１つ以上の人感センサに従って作動する１つ以上の安定器を設定するための画面を例示する図である。
【図９Ｅ】占有状態を感知する１つ以上の人感センサに従って作動する１つ以上の安定器を設定するための画面を例示する図である。
【図９Ｆ】占有状態を感知する１つ以上の人感センサに従って作動する１つ以上の安定器を設定するための画面を例示する図である。
【図９Ｇ】占有状態を感知する１つ以上の人感センサに従って作動する１つ以上の安定器を設定するための画面を例示する図である。
【図９Ｈ】占有状態を感知する１つ以上の人感センサに従って作動する１つ以上の安定器を設定するための画面を例示する図である。
【図９Ｉ】占有状態を感知する１つ以上の人感センサに従って作動する１つ以上の安定器を設定するための画面を例示する図である。
【図９Ｊ】占有状態を感知する１つ以上の人感センサに従って作動する１つ以上の安定器を設定するための画面を例示する図である。
【図９Ｋ】占有状態を感知する１つ以上の人感センサに従って作動する１つ以上の安定器を設定するための画面を例示する図である。
【図９Ｌ】占有状態を感知する１つ以上の人感センサに従って作動する１つ以上の安定器を設定するための画面を例示する図である。
【図１０Ａ】非占有状態を感知する１つ以上の人感センサに従って作動する１つ以上の安定器を設定するための画面を例示する図である。
【図１０Ｂ】非占有状態を感知する１つ以上の人感センサに従って作動する１つ以上の安定器を設定するための画面を例示する図である。
【図１０Ｃ】非占有状態を感知する１つ以上の人感センサに従って作動する１つ以上の安定器を設定するための画面を例示する図である。
【図１０Ｄ】非占有状態を感知する１つ以上の人感センサに従って作動する１つ以上の安定器を設定するための画面を例示する図である。
【図１０Ｅ】非占有状態を感知する１つ以上の人感センサに従って作動する１つ以上の安定器を設定するための画面を例示する図である。
【図１０Ｆ】非占有状態を感知する１つ以上の人感センサに従って作動する１つ以上の安定器を設定するための画面を例示する図である。
【図１０Ｇ】非占有状態を感知する１つ以上の人感センサに従って作動する１つ以上の安定器を設定するための画面を例示する図である。
【図１０Ｈ】非占有状態を感知する１つ以上の人感センサに従って作動する１つ以上の安定器を設定するための画面を例示する図である。
【図１０Ｉ】非占有状態を感知する１つ以上の人感センサに従って作動する１つ以上の安定器を設定するための画面を例示する図である。
【図１０Ｊ】非占有状態を感知する１つ以上の人感センサに従って作動する１つ以上の安定器を設定するための画面を例示する図である。
【図１０Ｋ】非占有状態を感知する１つ以上の人感センサに従って作動する１つ以上の安定器を設定するための画面を例示する図である。
【図１１Ａ】タイムアウトとなる１つ以上の安定器を設定するための画面を例示する図である。
【図１１Ｂ】タイムアウトとなる１つ以上の安定器を設定するための画面を例示する図である。
【図１１Ｃ】タイムアウトとなる１つ以上の安定器を設定するための画面を例示する図である。
【図１１Ｄ】タイムアウトとなる１つ以上の安定器を設定するための画面を例示する図である。
【図１１Ｅ】タイムアウトとなる１つ以上の安定器を設定するための画面を例示する図である。
【図１１Ｆ】タイムアウトとなる１つ以上の安定器を設定するための画面を例示する図である。
【図１１Ｇ】タイムアウトとなる１つ以上の安定器を設定するための画面を例示する図である。
【図１１Ｈ】タイムアウトとなる１つ以上の安定器を設定するための画面を例示する図である。
【図１１Ｉ】タイムアウトとなる１つ以上の安定器を設定するための画面を例示する図である。
【図１１Ｊ】タイムアウトとなる１つ以上の安定器を設定するための画面を例示する図である。
【図１１Ｋ】タイムアウトとなる１つ以上の安定器を設定するための画面を例示する図である。
【図１１Ｌ】タイムアウトとなる１つ以上の安定器を設定するための画面を例示する図である。
【図１２Ａ】半自動式又は自動式のプロセスで作動する安定器を設定するための表示画面を例示する図である。
【図１２Ｂ】半自動式又は自動式のプロセスで作動する安定器を設定するための表示画面を例示する図である。
【図１２Ｃ】半自動式又は自動式のプロセスで作動する安定器を設定するための表示画面を例示する図である。
【図１２Ｄ】半自動式又は自動式のプロセスで作動する安定器を設定するための表示画面を例示する図である。
【図１２Ｅ】半自動式又は自動式のプロセスで作動する安定器を設定するための表示画面を例示する図である。
【図１２Ｆ】半自動式又は自動式のプロセスで作動する安定器を設定するための表示画面を例示する図である。
【図１２Ｇ】半自動式又は自動式のプロセスで作動する安定器を設定するための表示画面を例示する図である。
【図１２Ｈ】半自動式又は自動式のプロセスで作動する安定器を設定するための表示画面を例示する図である。
【図１２Ｉ】半自動式又は自動式のプロセスで作動する安定器を設定するための表示画面を例示する図である。
【図１２Ｊ】半自動式又は自動式のプロセスで作動する安定器を設定するための表示画面を例示する図である。
【図１３】ハンドヘルドプログラミング装置を用いて、人感センサ装置を設定する方法を示すフローチャートである。
【図１４】特定の光センサで、一群の安定器を設定する方法を示すフローチャートである。
【図１５】ハンドヘルドプログラミング装置を用いて、人感センサグループを画定する方法を例示するフローチャートである。
【図１６】特定の赤外線受信機装置で、一群の安定器を設定する方法を示すフローチャートである。
【図１７】ハンドヘルドプログラミング装置を用いて、１つ又は複数の安定器を交換する方法を例示するフローチャートである。
【図１８Ａ】閉状態にある特定のコンタクトクロージャ入力に対応する安定器に対して、閉レベル設定を決定するための表示画面を例示する図である。
【図１８Ｂ】閉状態にある特定のコンタクトクロージャ入力に対応する安定器に対して、閉レベル設定を決定するための表示画面を例示する図である。
【図１８Ｃ】閉状態にある特定のコンタクトクロージャ入力に対応する安定器に対して、閉レベル設定を決定するための表示画面を例示する図である。
【図１８Ｄ】閉状態にある特定のコンタクトクロージャ入力に対応する安定器に対して、閉レベル設定を決定するための表示画面を例示する図である。
【図１８Ｅ】閉状態にある特定のコンタクトクロージャ入力に対応する安定器に対して、閉レベル設定を決定するための表示画面を例示する図である。
【図１８Ｆ】閉状態にある特定のコンタクトクロージャ入力に対応する安定器に対して、閉レベル設定を決定するための表示画面を例示する図である。
【図１８Ｇ】閉状態にある特定のコンタクトクロージャ入力に対応する安定器に対して、閉レベル設定を決定するための表示画面を例示する図である。
【図１８Ｈ】閉状態にある特定のコンタクトクロージャ入力に対応する安定器に対して、閉レベル設定を決定するための表示画面を例示する図である。
【図１８Ｉ】閉状態にある特定のコンタクトクロージャ入力に対応する安定器に対して、閉レベル設定を決定するための表示画面を例示する図である。
【図１９Ａ】開状態にある特定のコンタクトクロージャ入力に対応する安定器に対して、開レベル設定を決定するための表示画面を例示する図である。
【図１９Ｂ】開状態にある特定のコンタクトクロージャ入力に対応する安定器に対して、開レベル設定を決定するための表示画面を例示する図である。
【図１９Ｃ】開状態にある特定のコンタクトクロージャ入力に対応する安定器に対して、開レベル設定を決定するための表示画面を例示する図である。
【図１９Ｄ】開状態にある特定のコンタクトクロージャ入力に対応する安定器に対して、開レベル設定を決定するための表示画面を例示する図である。
【図１９Ｅ】開状態にある特定のコンタクトクロージャ入力に対応する安定器に対して、開レベル設定を決定するための表示画面を例示する図である。
【図１９Ｆ】開状態にある特定のコンタクトクロージャ入力に対応する安定器に対して、開レベル設定を決定するための表示画面を例示する図である。
【図１９Ｇ】開状態にある特定のコンタクトクロージャ入力に対応する安定器に対して、開レベル設定を決定するための表示画面を例示する図である。
【図１９Ｈ】開状態にある特定のコンタクトクロージャ入力に対応する安定器に対して、開レベル設定を決定するための表示画面を例示する図である。
【図１９Ｉ】開状態にある特定のコンタクトクロージャ入力に対応する安定器に対して、開レベル設定を決定するための表示画面を例示する図である。
【図２０Ａ】単一のＩＲ受信機を介して命令を受ける安定器のグループを決定するハンドヘルドプログラミング装置に与えられた例を示す図である。
【図２０Ｂ】単一のＩＲ受信機を介して命令を受ける安定器のグループを決定するハンドヘルドプログラミング装置に与えられた例を示す図である。
【図２０Ｃ】単一のＩＲ受信機を介して命令を受ける安定器のグループを決定するハンドヘルドプログラミング装置に与えられた例を示す図である。
【図２０Ｄ】単一のＩＲ受信機を介して命令を受ける安定器のグループを決定するハンドヘルドプログラミング装置に与えられた例を示す図である。
【図２０Ｅ】単一のＩＲ受信機を介して命令を受ける安定器のグループを決定するハンドヘルドプログラミング装置に与えられた例を示す図である。
【図２０Ｆ】単一のＩＲ受信機を介して命令を受ける安定器のグループを決定するハンドヘルドプログラミング装置に与えられた例を示す図である。
【図２０Ｇ】単一のＩＲ受信機を介して命令を受ける安定器のグループを決定するハンドヘルドプログラミング装置に与えられた例を示す図である。
【図２０Ｈ】単一のＩＲ受信機を介して命令を受ける安定器のグループを決定するハンドヘルドプログラミング装置に与えられた例を示す図である。
【図２０Ｉ】単一のＩＲ受信機を介して命令を受ける安定器のグループを決定するハンドヘルドプログラミング装置に与えられた例を示す図である。
【図２１Ａ】光センサ装置に関連して作動する安定器のグループを決定するハンドヘルドプログラミング装置に与えられた例を示す図である。
【図２１Ｂ】光センサ装置に関連して作動する安定器のグループを決定するハンドヘルドプログラミング装置に与えられた例を示す図である。
【図２１Ｃ】光センサ装置に関連して作動する安定器のグループを決定するハンドヘルドプログラミング装置に与えられた例を示す図である。
【図２１Ｄ】光センサ装置に関連して作動する安定器のグループを決定するハンドヘルドプログラミング装置に与えられた例を示す図である。
【図２１Ｅ】光センサ装置に関連して作動する安定器のグループを決定するハンドヘルドプログラミング装置に与えられた例を示す図である。
【図２１Ｆ】光センサ装置に関連して作動する安定器のグループを決定するハンドヘルドプログラミング装置に与えられた例を示す図である。
【図２１Ｇ】光センサ装置に関連して作動する安定器のグループを決定するハンドヘルドプログラミング装置に与えられた例を示す図である。
【図２１Ｈ】光センサ装置に関連して作動する安定器のグループを決定するハンドヘルドプログラミング装置に与えられた例を示す図である。
【図２１Ｉ】光センサ装置に関連して作動する安定器のグループを決定するハンドヘルドプログラミング装置に与えられた例を示す図である。
【図２２Ａ】人感センサに関連して作動する安定器のグループを決定するハンドヘルドプログラミング装置に与えられた例を示す図である。
【図２２Ｂ】人感センサに関連して作動する安定器のグループを決定するハンドヘルドプログラミング装置に与えられた例を示す図である。
【図２２Ｃ】人感センサに関連して作動する安定器のグループを決定するハンドヘルドプログラミング装置に与えられた例を示す図である。
【図２２Ｄ】人感センサに関連して作動する安定器のグループを決定するハンドヘルドプログラミング装置に与えられた例を示す図である。
【図２２Ｅ】人感センサに関連して作動する安定器のグループを決定するハンドヘルドプログラミング装置に与えられた例を示す図である。
【図２２Ｆ】人感センサに関連して作動する安定器のグループを決定するハンドヘルドプログラミング装置に与えられた例を示す図である。
【図２２Ｇ】人感センサに関連して作動する安定器のグループを決定するハンドヘルドプログラミング装置に与えられた例を示す図である。
【図２２Ｈ】人感センサに関連して作動する安定器のグループを決定するハンドヘルドプログラミング装置に与えられた例を示す図である。
【図２２Ｉ】人感センサに関連して作動する安定器のグループを決定するハンドヘルドプログラミング装置に与えられた例を示す図である。
【図２３Ａ】本発明に従って安定器を交換するハンドヘルドプログラミング装置に与えられた例を示す図である。
【図２３Ｂ】本発明に従って安定器を交換するハンドヘルドプログラミング装置に与えられた例を示す図である。
【図２３Ｃ】本発明に従って安定器を交換するハンドヘルドプログラミング装置に与えられた例を示す図である。
【図２３Ｄ】本発明に従って安定器を交換するハンドヘルドプログラミング装置に与えられた例を示す図である。
【図２３Ｅ】本発明に従って安定器を交換するハンドヘルドプログラミング装置に与えられた例を示す図である。
【図２３Ｆ】本発明に従って安定器を交換するハンドヘルドプログラミング装置に与えられた例を示す図である。
【図２３Ｇ】本発明に従って安定器を交換するハンドヘルドプログラミング装置に与えられた例を示す図である。
【図２３Ｈ】本発明に従って安定器を交換するハンドヘルドプログラミング装置に与えられた例を示す図である。
【図２３Ｉ】本発明に従って安定器を交換するハンドヘルドプログラミング装置に与えられた例を示す図である。
【図２３Ｊ】本発明に従って安定器を交換するハンドヘルドプログラミング装置に与えられた例を示す図である。
【図２３Ｋ】本発明に従って安定器を交換するハンドヘルドプログラミング装置に与えられた例を示す図である。
【図２３Ｌ】本発明に従って安定器を交換するハンドヘルドプログラミング装置に与えられた例を示す図である。
【図２４Ａ】本発明に従い新しい安定器システムのアドレス指定を行いシステムをリセットするための表示画面を例示する図である。
【図２４Ｂ】本発明に従い新しい安定器システムのアドレス指定を行いシステムをリセットするための表示画面を例示する図である。
【図２４Ｃ】本発明に従い新しい安定器システムのアドレス指定を行いシステムをリセットするための表示画面を例示する図である。
【図２４Ｄ】本発明に従い新しい安定器システムのアドレス指定を行いシステムをリセットするための表示画面を例示する図である。
【図２４Ｅ】本発明に従い新しい安定器システムのアドレス指定を行いシステムをリセットするための表示画面を例示する図である。
【図２４Ｆ】本発明に従い新しい安定器システムのアドレス指定を行いシステムをリセットするための表示画面を例示する図である。
【図２４Ｇ】本発明に従い新しい安定器システムのアドレス指定を行いシステムをリセットするための表示画面を例示する図である。
【図２４Ｈ】本発明に従い新しい安定器システムのアドレス指定を行いシステムをリセットするための表示画面を例示する図である。
【図２４Ｉ】本発明に従い新しい安定器システムのアドレス指定を行いシステムをリセットするための表示画面を例示する図である。
【図２４Ｊ】本発明に従い新しい安定器システムのアドレス指定を行いシステムをリセットするための表示画面を例示する図である。
【図２４Ｋ】本発明に従い新しい安定器システムのアドレス指定を行いシステムをリセットするための表示画面を例示する図である。
【図２５Ａ】工場出荷時のデフォルト設定に装置をリセットするための表示画面を例示する図である。
【図２５Ｂ】工場出荷時のデフォルト設定に装置をリセットするための表示画面を例示する図である。
【図２５Ｃ】工場出荷時のデフォルト設定に装置をリセットするための表示画面を例示する図である。
【図２５Ｄ】工場出荷時のデフォルト設定に装置をリセットするための表示画面を例示する図である。
【図２５Ｅ】工場出荷時のデフォルト設定に装置をリセットするための表示画面を例示する図である。
【図２５Ｆ】工場出荷時のデフォルト設定に装置をリセットするための表示画面を例示する図である。
【図２６Ａ】縦−横のグリッドで構成される安定器の運転設定を決定するための表示画面を例示する図である。
【図２６Ｂ】縦−横のグリッドで構成される安定器の運転設定を決定するための表示画面を例示する図である。
【図２６Ｃ】縦−横のグリッドで構成される安定器の運転設定を決定するための表示画面を例示する図である。
【図２６Ｄ】縦−横のグリッドで構成される安定器の運転設定を決定するための表示画面を例示する図である。
【図２６Ｅ】縦−横のグリッドで構成される安定器の運転設定を決定するための表示画面を例示する図である。
【図２６Ｆ】縦−横のグリッドで構成される安定器の運転設定を決定するための表示画面を例示する図である。
【図２６Ｇ】縦−横のグリッドで構成される安定器の運転設定を決定するための表示画面を例示する図である。
【図２６Ｈ】縦−横のグリッドで構成される安定器の運転設定を決定するための表示画面を例示する図である。
【図２６Ｉ】縦−横のグリッドで構成される安定器の運転設定を決定するための表示画面を例示する図である。
【図２６Ｊ】縦−横のグリッドで構成される安定器の運転設定を決定するための表示画面を例示する図である。
【図２７Ａ】縦−横のグリッドで画定される横の行に従って、シーンを決定し作動させる壁制御を設定するための表示画面を例示する図である。
【図２７Ｂ】縦−横のグリッドで画定される横の行に従って、シーンを決定し作動させる壁制御を設定するための表示画面を例示する図である。
【図２７Ｃ】縦−横のグリッドで画定される横の行に従って、シーンを決定し作動させる壁制御を設定するための表示画面を例示する図である。
【図２７Ｄ】縦−横のグリッドで画定される横の行に従って、シーンを決定し作動させる壁制御を設定するための表示画面を例示する図である。
【図２７Ｅ】縦−横のグリッドで画定される横の行に従って、シーンを決定し作動させる壁制御を設定するための表示画面を例示する図である。
【図２７Ｆ】縦−横のグリッドで画定される横の行に従って、シーンを決定し作動させる壁制御を設定するための表示画面を例示する図である。
【図２７Ｇ】縦−横のグリッドで画定される横の行に従って、シーンを決定し作動させる壁制御を設定するための表示画面を例示する図である。
【図２７Ｈ】縦−横のグリッドで画定される横の行に従って、シーンを決定し作動させる壁制御を設定するための表示画面を例示する図である。
【図２７Ｉ】縦−横のグリッドで画定される横の行に従って、シーンを決定し作動させる壁制御を設定するための表示画面を例示する図である。
【図２７Ｊ】縦−横のグリッドで画定される横の行に従って、シーンを決定し作動させる壁制御を設定するための表示画面を例示する図である。
【図２８】バス電源装置上に保存されたデータベース例に従って安定器構成及び設定情報を保存するデータ表例データベース記録レイアウトを例示する図である。
【符号の説明】
【０２４０】
１００  照明制御システム
１０１  ハンドヘルドプログラミング装置
１０２  安定器
１０４  受信機
１１２  入力部
１１４  バス電源装置
１１６  通信リンク
１１８  データベース
２００  グリッド
【図１】
2008533669.tif 000003
【図２】
2008533669.tif 000004
【図３】
2008533669.tif 000005
【図４Ａ】
2008533669.tif 000006
【図４Ｂ】
2008533669.tif 000007
【図４Ｃ】
2008533669.tif 000008
【図４Ｄ】
2008533669.tif 000009
【図４Ｅ】
2008533669.tif 000010
【図４Ｆ】
2008533669.tif 000011
【図４Ｇ】
2008533669.tif 000012
【図４Ｈ】
2008533669.tif 000013
【図４Ｉ】
2008533669.tif 000014
【図４Ｊ】
2008533669.tif 000015
【図４Ｋ】
2008533669.tif 000016
【図４Ｌ】
2008533669.tif 000017
【図５Ａ】
2008533669.tif 000018
【図５Ｂ】
2008533669.tif 000019
【図５Ｃ】
2008533669.tif 000020
【図５Ｄ】
2008533669.tif 000021
【図５Ｅ】
2008533669.tif 000022
【図５Ｆ】
2008533669.tif 000023
【図５Ｇ】
2008533669.tif 000024
【図５Ｈ】
2008533669.tif 000025
【図５Ｉ】
2008533669.tif 000026
【図５Ｊ】
2008533669.tif 000027
【図５Ｋ】
2008533669.tif 000028
【図５Ｌ】
2008533669.tif 000029
【図６Ａ】
2008533669.tif 000030
【図６Ｂ】
2008533669.tif 000031
【図６Ｃ】
2008533669.tif 000032
【図６Ｄ】
2008533669.tif 000033
【図６Ｅ】
2008533669.tif 000034
【図６Ｆ】
2008533669.tif 000035
【図６Ｇ】
2008533669.tif 000036
【図６Ｈ】
2008533669.tif 000037
【図６Ｉ】
2008533669.tif 000038
【図６Ｊ】
2008533669.tif 000039
【図６Ｋ】
2008533669.tif 000040
【図７Ａ】
2008533669.tif 000041
【図７Ｂ】
2008533669.tif 000042
【図７Ｃ】
2008533669.tif 000043
【図７Ｄ】
2008533669.tif 000044
【図７Ｅ】
2008533669.tif 000045
【図７Ｆ】
2008533669.tif 000046
【図７Ｇ】
2008533669.tif 000047
【図７Ｈ】
2008533669.tif 000048
【図７Ｉ】
2008533669.tif 000049
【図７Ｊ】
2008533669.tif 000050
【図７Ｋ】
2008533669.tif 000051
【図７Ｌ】
2008533669.tif 000052
【図８】
2008533669.tif 000053
【図９Ａ】
2008533669.tif 000054
【図９Ｂ】
2008533669.tif 000055
【図９Ｃ】
2008533669.tif 000056
【図９Ｄ】
2008533669.tif 000057
【図９Ｅ】
2008533669.tif 000058
【図９Ｆ】
2008533669.tif 000059
【図９Ｇ】
2008533669.tif 000060
【図９Ｈ】
2008533669.tif 000061
【図９Ｉ】
2008533669.tif 000062
【図９Ｊ】
2008533669.tif 000063
【図９Ｋ】
2008533669.tif 000064
【図９Ｌ】
2008533669.tif 000065
【図１０Ａ】
2008533669.tif 000066
【図１０Ｂ】
2008533669.tif 000067
【図１０Ｃ】
2008533669.tif 000068
【図１０Ｄ】
2008533669.tif 000069
【図１０Ｅ】
2008533669.tif 000070
【図１０Ｆ】
2008533669.tif 000071
【図１０Ｇ】
2008533669.tif 000072
【図１０Ｈ】
2008533669.tif 000073
【図１０Ｉ】
2008533669.tif 000074
【図１０Ｊ】
2008533669.tif 000075
【図１０Ｋ】
2008533669.tif 000076
【図１１Ａ】
2008533669.tif 000077
【図１１Ｂ】
2008533669.tif 000078
【図１１Ｃ】
2008533669.tif 000079
【図１１Ｄ】
2008533669.tif 000080
【図１１Ｅ】
2008533669.tif 000081
【図１１Ｆ】
2008533669.tif 000082
【図１１Ｇ】
2008533669.tif 000083
【図１１Ｈ】
2008533669.tif 000084
【図１１Ｉ】
2008533669.tif 000085
【図１１Ｊ】
2008533669.tif 000086
【図１１Ｋ】
2008533669.tif 000087
【図１１Ｌ】
2008533669.tif 000088
【図１２Ａ】
2008533669.tif 000089
【図１２Ｂ】
2008533669.tif 000090
【図１２Ｃ】
2008533669.tif 000091
【図１２Ｄ】
2008533669.tif 000092
【図１２Ｅ】
2008533669.tif 000093
【図１２Ｆ】
2008533669.tif 000094
【図１２Ｇ】
2008533669.tif 000095
【図１２Ｈ】
2008533669.tif 000096
【図１２Ｉ】
2008533669.tif 000097
【図１２Ｊ】
2008533669.tif 000098
【図１３】
2008533669.tif 000099
【図１４】
2008533669.tif 000100
【図１５】
2008533669.tif 000101
【図１６】
2008533669.tif 000102
【図１７】
2008533669.tif 000103
【図１８Ａ】
2008533669.tif 000104
【図１８Ｂ】
2008533669.tif 000105
【図１８Ｃ】
2008533669.tif 000106
【図１８Ｄ】
2008533669.tif 000107
【図１８Ｅ】
2008533669.tif 000108
【図１８Ｆ】
2008533669.tif 000109
【図１８Ｇ】
2008533669.tif 000110
【図１８Ｈ】
2008533669.tif 000111
【図１８Ｉ】
2008533669.tif 000112
【図１９Ａ】
2008533669.tif 000113
【図１９Ｂ】
2008533669.tif 000114
【図１９Ｃ】
2008533669.tif 000115
【図１９Ｄ】
2008533669.tif 000116
【図１９Ｅ】
2008533669.tif 000117
【図１９Ｆ】
2008533669.tif 000118
【図１９Ｇ】
2008533669.tif 000119
【図１９Ｈ】
2008533669.tif 000120
【図１９Ｉ】
2008533669.tif 000121
【図２０Ａ】
2008533669.tif 000122
【図２０Ｂ】
2008533669.tif 000123
【図２０Ｃ】
2008533669.tif 000124
【図２０Ｄ】
2008533669.tif 000125
【図２０Ｅ】
2008533669.tif 000126
【図２０Ｆ】
2008533669.tif 000127
【図２０Ｇ】
2008533669.tif 000128
【図２０Ｈ】
2008533669.tif 000129
【図２０Ｉ】
2008533669.tif 000130
【図２１Ａ】
2008533669.tif 000131
【図２１Ｂ】
2008533669.tif 000132
【図２１Ｃ】
2008533669.tif 000133
【図２１Ｄ】
2008533669.tif 000134
【図２１Ｅ】
2008533669.tif 000135
【図２１Ｆ】
2008533669.tif 000136
【図２１Ｇ】
2008533669.tif 000137
【図２１Ｈ】
2008533669.tif 000138
【図２１Ｉ】
2008533669.tif 000139
【図２２Ａ】
2008533669.tif 000140
【図２２Ｂ】
2008533669.tif 000141
【図２２Ｃ】
2008533669.tif 000142
【図２２Ｄ】
2008533669.tif 000143
【図２２Ｅ】
2008533669.tif 000144
【図２２Ｆ】
2008533669.tif 000145
【図２２Ｇ】
2008533669.tif 000146
【図２２Ｈ】
2008533669.tif 000147
【図２２Ｉ】
2008533669.tif 000148
【図２３Ａ】
2008533669.tif 000149
【図２３Ｂ】
2008533669.tif 000150
【図２３Ｃ】
2008533669.tif 000151
【図２３Ｄ】
2008533669.tif 000152
【図２３Ｅ】
2008533669.tif 000153
【図２３Ｆ】
2008533669.tif 000154
【図２３Ｇ】
2008533669.tif 000155
【図２３Ｈ】
2008533669.tif 000156
【図２３Ｉ】
2008533669.tif 000157
【図２３Ｊ】
2008533669.tif 000158
【図２３Ｋ】
2008533669.tif 000159
【図２３Ｌ】
2008533669.tif 000160
【図２４Ａ】
2008533669.tif 000161
【図２４Ｂ】
2008533669.tif 000162
【図２４Ｃ】
2008533669.tif 000163
【図２４Ｄ】
2008533669.tif 000164
【図２４Ｅ】
2008533669.tif 000165
【図２４Ｆ】
2008533669.tif 000166
【図２４Ｇ】
2008533669.tif 000167
【図２４Ｈ】
2008533669.tif 000168
【図２４Ｉ】
2008533669.tif 000169
【図２４Ｊ】
2008533669.tif 000170
【図２４Ｋ】
2008533669.tif 000171
【図２５Ａ】
2008533669.tif 000172
【図２５Ｂ】
2008533669.tif 000173
【図２５Ｃ】
2008533669.tif 000174
【図２５Ｄ】
2008533669.tif 000175
【図２５Ｅ】
2008533669.tif 000176
【図２５Ｆ】
2008533669.tif 000177
【図２６Ａ】
2008533669.tif 000178
【図２６Ｂ】
2008533669.tif 000179
【図２６Ｃ】
2008533669.tif 000180
【図２６Ｄ】
2008533669.tif 000181
【図２６Ｅ】
2008533669.tif 000182
【図２６Ｆ】
2008533669.tif 000183
【図２６Ｇ】
2008533669.tif 000184
【図２６Ｈ】
2008533669.tif 000185
【図２６Ｉ】
2008533669.tif 000186
【図２６Ｊ】
2008533669.tif 000187
【図２７Ａ】
2008533669.tif 000188
【図２７Ｂ】
2008533669.tif 000189
【図２７Ｃ】
2008533669.tif 000190
【図２７Ｄ】
2008533669.tif 000191
【図２７Ｅ】
2008533669.tif 000192
【図２７Ｆ】
2008533669.tif 000193
【図２７Ｇ】
2008533669.tif 000194
【図２７Ｈ】
2008533669.tif 000195
【図２７Ｉ】
2008533669.tif 000196
【図２７Ｊ】
2008533669.tif 000197
【図２８】
2008533669.tif 000198
【国際調査報告】
2008533669.tif 000199